(57)【特許請求の範囲】
【請求項１】
予め定められたキーコードを有する鍵をキーコードのセットおよびリセットが可能な可変機構を内設したシリンダ本体の鍵穴に挿入し、鍵を一方向に回動操作することにより挿入された鍵のコードがセットされたキーコードに一致した場合に開錠し、鍵を他方向に回動操作することによりセットされたキーコードがリセットするように形成されたシリンダ錠であって、
前記シリンダ錠は、
挿入された鍵の回動操作により回動するシリンダと、このシリンダを覆うカバーとから構成するとともに、鍵の回動操作で開錠した場合に前記シリンダの回動に応じて電気信号を発生するスイッチと、前記シリンダ本体の鍵穴面側に設けられ前記他方向への鍵の回動を規制する規制手段とを備え、
鍵を一方向に回動操作して開錠した場合、電気的信号を出力し、
鍵を他方向に回動操作する場合、前記他方向への鍵の回動操作を規制する
シリンダ錠。
【請求項２】
前記規制手段は、
前記鍵穴面側に設けられたリセットボタンと、
前記シリンダの一部と、前記シリンダを覆うカバーの一部とにそれぞれ係合するリセットピンと、
前記リセットピンおよびリセットボタンを、前記鍵の挿入方向と逆の方向であって、前記カバーから露出させる方向に付勢するバネを含み、
前記リセットボタンが押圧された場合、前記リセットピンが前記鍵の挿入方向に移動し、前記リセットピンと前記カバーの一部との係合が解除させられる
請求項１に記載のシリンダ錠。
【請求項３】
前記リセットボタンは、前記シリンダの鍵穴が前記カバーから露出する面と同じ面において、前記カバーから外部に露出する
請求項２に記載のシリンダ錠。
【発明の詳細な説明】
【技術分野】
【０００１】
本発明は、シリンダ錠に関し、キーコードを変更できる小型で安価なシリンダ錠であって、鍵穴に異物が挿入されてキー操作が不可能となった場合、鍵が破損した場合、紛失した場合なども開錠することができるシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている。
【０００６】
図１乃至図１０を参照して、従来の施錠または開錠できる鍵を自由に変更可能なシリンダ錠１について説明する。図１乃至図１０は、従来のシリンダ錠１の縦断面図である。シリンダ錠１のケース１０は、略筒状に形成される。ケース１０の後端部（図１中の右側）に取り付けフランジ１１が設けられている。
【０００７】
取り付けフランジ１１に対して取り付け面がほぼ一致するように背面カバー１２が設けられている。ケース１０の図中の上側の外周には、カバー１３が設けられている。ケース１０の図中の下側の外周には、カバー１４が設けられている。
【０００８】
中間シリンダ２１は、ケース１０の内側に回動可能に設けられている。中間シリンダ２１の図中の右端の軸２１ａは、背面カバー１２を貫通して、ケース１０の外部に露出し、図示せぬ施錠カムが装着される。
【０００９】
中間シリンダ２１の内側には、さらに、内周シリンダ２２が回動可能に設けられている。内周シリンダ２２の、ケース１０の前端部（図１中の左側）には、鍵が挿入される鍵孔２２ａが設けられている。
【００１０】
中間シリンダ２１および内周シリンダ２２は、施錠または開錠されるとき、鍵とともに回動し、軸２１ａに取り付けられた施錠カムを回動させる。
【００１１】
取り付けフランジ１１には、さらに、リセットピン孔３０が設けられている。リセットピン孔３０には、図中の上下方向に移動可能に、リセットボタン３１が配置されている。リセットピン３２、補助ピン３３、ドライバピン３４、およびバネ３５は、ケース１０、中間シリンダ２１、および内周シリンダ２２の円筒状の孔に連通するように配置されている。リセットピン３２の上端は、リセットボタン３１の凸部３１ａに当接する。バネ３５は、リセットピン３２、補助ピン３３、およびドライバピン３４を図中の上方向に付勢する。
【００１２】
リセットボタン３１が図中の下方向に押圧されたとき、リセットボタン３１の凸部３１ａに当接するリセットピン３２は、図中の下方向に移動し、リセットピン３２によって押圧される、補助ピン３３およびドライバピン３４が、図中の下方向に移動する。
【００１３】
ドライバピン孔４１−１乃至４１−８のそれぞれは、ケース１０の図中の上下方向の円筒状の孔、中間シリンダ２１の図中の上下方向の円筒状の孔、および内周シリンダ２２の図中の上下方向の円筒状の孔からなる。ドライバピン孔４１−１乃至４１−８は、ケース１０の軸方向（鍵が挿入される方向と一致する方向）に配列されている。
【００１４】
一方、ドライバピン孔５１−１乃至５１−８のそれぞれは、ケース１０の図中の上下方向の円筒状の孔および中間シリンダ２１の図中の上下方向の円筒状の孔からなり、ドライバピン孔４１−１乃至４１−８のそれぞれに対向する位置であって、ケース１０の軸方向に配列されている。
【００１５】
カバー１３は、ドライバピン孔４１−１乃至４１−８のケース１０側の開口部を被覆し、カバー１４は、ドライバピン孔５１−１乃至５１−８のケース１０側の開口部を被覆する。
【００１６】
図１で示される状態において、ドライバピン孔５１−１乃至５１−８の他方の開口部は、内周シリンダ２２によって閉じられている。
【００１７】
ドライバピン孔４１−１には、図中の上側から順に、バネ６０、ドライバピン６１、補助ピン６２、およびタンブラ６３が挿入され、連通し、ドライバピン６１、補助ピン６２、およびタンブラ６３は、バネ６０によって図１の下方向に付勢されている。内周シリンダ２２の円筒状の孔は、内側が細く形成され、タンブラ６３は、先端側（図１中の下側）が細く、ドライバピン６１と当接する側が太く形成されている。従って、タンブラ６３は、内周シリンダ２２の円筒状の孔の細くなった部分に当接して、位置決めされる。
【００１８】
また、ドライバピン孔４１−１に対向する位置に配置されているドライバピン孔５１−１には、図中の上から順に、５つの可変ピン６４、ドライバピン６５、およびバネ６６が挿入され、連通し、５つの可変ピン６４、ドライバピン６５は、バネ６６によって図１の上方向に付勢されている。
【００１９】
ドライバピン孔４１−２乃至４１−４、およびドライバピン孔５１−２乃至５１−４には、同様の各種ピンおよびバネが挿入されている。
【００２０】
重複して説明するが、例えば、ドライバピン孔４１−５には、バネ７０、ドライバピン７１、補助ピン７２、タンブラ７３、および２つの可変ピン７４ａが挿入され、連通し、ドライバピン７１、補助ピン７２、タンブラ７３、および２つの可変ピン７４ａは、バネ７０によって図１の下方向に付勢されている。
【００２１】
なお、２つの可変ピン７４ａは、補助ピン７２およびタンブラ７３の間に配置される。
【００２２】
ドライバピン孔５１−５には、３つの可変ピン７４ｂ、ドライバピン７５、およびバネ７６が挿入され、連通し、３つの可変ピン７４ｂおよびドライバピン７５は、バネ７６によって図１の上方向に付勢されている。
【００２３】
補助ピン６２（補助ピン７２を含む）の長さは、中間シリンダ２１の筒状部の肉厚と同等とされている。
【００２４】
図２は、シリンダ錠１に正規の鍵Ｋ1を矢印８０の方向に挿入した状態を表している。鍵Ｋ1には、シリンダ錠１における、個々のタンブラ６３（タンブラ７３を含む）の図中の上下方向の位置を決める、位置決め面８１−１乃至８１−８が設けられている。
【００２５】
以下、１つの鍵によって決まる、タンブラの位置の組み合わせを、その鍵のキーコードとも称する。また、開錠または施錠を許可するタンブラの位置の組み合わせを、その錠のキーコードとも称する。
【００２６】
鍵Ｋ1が挿入されると、ドライバピン孔４１−１乃至４１−８に挿入されているタンブラ６３（タンブラ７３を含む）が、鍵Ｋ1の位置決め面８１−１乃至８１−８（図２では８１−４乃至８１−６の符号を省略している）に当接することにより、各タンブラ６３（タンブラ７３を含む）は図２の上方向に移動する。
【００２７】
タンブラ６３の図中の上方向の移動によって、ドライバピン孔４１−１乃至４１−８において、ケース１０の内周面、および中間シリンダ２１の外周面と、全ての補助ピン６２の上側の面が一致するとともに、補助ピン３３の上側の面とが一致して、ラインＬ1が形成される。ドライバピン孔５１−１乃至５１−８において、ケース１０の内周面、および中間シリンダ２１の外周面と、可変ピン６４の下側の面が一致する。
【００２８】
この場合、中間シリンダ２１の内周面と、全ての補助ピン６２の下側の面が一致する。
【００２９】
一方、中間シリンダ２１の内周面と、ドライバピン３４の上面とは一致しない。
【００３０】
従って、ケース１０に対して、中間シリンダ２１および内周シリンダ２２が、一体に、回動可能になる。
【００３１】
図３で示されるように、矢印９１の方向にリセットボタン３１を押圧すると、リセットピン３２、補助ピン３３、およびドライバピン３４が図中の下側に移動して、ケース１０の内周面、および中間シリンダ２１の外周面と、補助ピン３３の上側の面とが一致せず、中間シリンダ２１の内周面と、全ての補助ピン６２の下側の面とが一致すると共に、ドライバピン３４の上側の面が一致することによりラインＬ2が形成される。
【００３２】
その結果、ケース１０に対して、中間シリンダ２１は固定されると共に、中間シリンダ２１に対して、内周シリンダ２２は回動可能になる。
【００３３】
従って、図４で示されるように矢印９２の方向（時計回り、または反時計回りの方向）に鍵Ｋ1を１８０°回動させることで内周シリンダ２２だけが１８０°回動し、図４に示す状態になる（ケース１０および中間シリンダ２１に対して、内周シリンダ２２が反転した状態になる）。
【００３４】
図４で示される状態において、ドライバピン孔５１−１乃至５１−８のそれぞれには、図中の上から順に、タンブラ６３、５つの可変ピン６４、ドライバピン６５、およびバネ６６が配置されることになる。
【００３５】
図５は、鍵Ｋ1を矢印１０１の方向に引き抜く様子を表している。
【００３６】
図６は、鍵Ｋ1を引き抜いたシリンダ錠１の状態を表している。すなわち、図６で示されるように鍵Ｋ1を引き抜くとドライバピン孔５１−１乃至５１−８において、バネ６６の付勢力により、タンブラ６３、５つの可変ピン６４、およびドライバピン６５は、図中の上側に移動し、タンブラ６３が、内周シリンダ２２の円筒状の孔の細くなった部分に当接することによって、位置決めされる。すなわち、タンブラ６３、５つの可変ピン６４、およびドライバピン６５は、ドライバピン孔５１−１乃至５１−８のそれぞれに対して、同じ位置に配置されることになる。
【００３７】
図７で示されるように、図６で示される状態のシリンダ錠１のキーコードを変更するため、新たな鍵Ｋ2が、矢印１１１の方向に移動されシリンダ錠１に挿入される。これにより、各タンブラ６３は、鍵Ｋ2の位置決め面１２１−１乃至１２１−８（図７では、位置決め面１２１−３乃至１２１−６の符号を省略している）のいずれかに当接することによって、内周シリンダ２２に対する、各タンブラ６３の位置が変化する。
【００３８】
この状態で、図８で示されるように鍵Ｋ2を矢印１３１の方向（時計回り、または反時計回りの方向）に１８０°回動させることで、ケース１０および中間シリンダ２１に対して、内周シリンダ２２のみが１８０°回動し、反転する。このとき、５つの可変ピン６４のうち、図７のラインＬ2に対して、内側に位置している（内周シリンダ２２側に位置している）可変ピン６４だけが内周シリンダ２２とともに、回動し、図８に示す状態に移行する。
【００３９】
さらに、図８における、矢印１３２で示される方向にリセットボタン３１がバネ３５の付勢力によって戻されることで、ラインＬ2とドライバピン３４の上面とが一致しなくなるので、中間シリンダ２１と内周シリンダ２２とが固定される。
【００４０】
図９は、矢印１４１で示される方向に鍵Ｋ2が引き抜かれる、シリンダ錠１を表している。
【００４１】
図１０は、鍵Ｋ2が引き抜かれ、キーコードが変更されたシリンダ錠１を表している。
【００４２】
図１で示される、ドライバピン孔４１−１乃至４１−８のそれぞれにおける可変ピンの数と、図１０で示される、ドライバピン孔４１−１乃至４１−８のそれぞれにおける可変ピンの数とが異なり、シリンダ錠１のキーコードが変更されることになる。
【００４３】
以上にようにして、図１０に示されるように従来のシリンダ錠１のキーコードは変更されていた（例えば、特許文献１参照）。
【００４４】
また、筒状に形成され内周面に傾斜面で接続する係合凹部が形成されるケースと、ケースに回動可能に挿入され、前面に開口する鍵孔と、鍵孔に交叉するタンブラ孔と、タンブラ孔の一方の内壁面を貫通するサイドバー収容孔と、タンブラ孔の他方の内壁面を貫通するレトラクタ収容孔と、後部に形成される小径部に設けられるリセットピン挿入孔とを有するプラグと、ケースと小径部との間に回動可能に挿入される筒部にリセットピン挿入孔と重なる切欠部が形成され、後端部に形成される軸部に施錠カムを有するジョイントカムと、リセットピン挿入孔に挿入され、ジョイントカムの切欠部に突出する方向に付勢され、外部から操作可能なリセットボタンに当接するリセットピンと、レトラクタ収容孔に挿入され、端部に形成された係合突起が係合凹部に係合するレトラクタと、サイドバー収容孔に挿入され、先端部が係合凹部に係合する方向にばねにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとにより構成されるシリンダ錠もある（例えば、特許文献２参照）。このシリンダ錠においては、キーコード変更時に、初期設定キーによりプラグのみを１８０度回動した際に、レトラクタの係合突起がケースの係合凹部に一致し、レトラクタはばねにより係合突起が係合凹部に係入する方向に移動する。
【００４５】
このシンリンダ錠においては、図１１に示されるように、鍵１６５の形状と可変タンブ１６２の形状が一致すると、可変タンブラ１６２が図中右側に移動し、可変タンブラ１６２と当接しているレトラクタ１６４も図中右側に移動することにより、レトラクタ１６４の突部１６４ａとケース１６１の凹部１６１ａの係合が解除され、ケース１６１に対して、シリンダの内周部分が回動可能な状態となる。
【００４６】
【特許文献１】特開平３−２３４２７５号公報
【００４７】
【特許文献２】特開平７−２６９１８９号公報
【発明の開示】
【発明が解決しようとする課題】
【００４８】
しかしながら、図１１に示されるようなシリンダにおいては、シリンダの内周部分が回動する場合、可変タンブラ１６２の先端の鋸歯状の噛合部１６２ａが、タンブラプレート１６３の先端の被噛合部１６３ａと噛合し、シリンダの内周部分が回動するように構成されている。このため、噛合部１６２ａおよび被噛合部１６３ａに回動するときの負荷がかかり、このシリンダを長期間使用すると、正常に開施錠動できなくなる恐れがあった。
【００４９】
また、従来のシリンダ錠において、キーコードの変更を行う場合、キーコードの変更操作を行うためのリセットボタンなどを、シリンダ錠の後方（鍵穴が露出する面と反対側の面）から操作する必要があった。遊技場に設置されているスロット遊技台などの遊技機では、構造上、機器の裏側から操作することができないものもあり、シリンダ錠の利用上の制約となっていた。
【００５０】
さらに、従来のキーコードの変更可能なシリンダ錠では、シリンダ錠を構成する構成部品の数が多く、そのためコストが高くなったり、大型化して、大きな取り付けスペースが必要になってしまうという課題があった。
【００５１】
また、シリンダ錠を、従来の部品点数を減らす構成としても、広く流通しているシリンダ錠の鍵であって、一方の面の位置でキーコードが特定されるもの（例えば、すり鉢形状の溝（キーコード）が設けられている鍵）では、シリンダ錠を施錠若しくは開錠し、またはシリンダ錠のキーコードを変更することができないという課題があった。
【００５２】
本発明は、このような状況に鑑みてなされたものであり、キーコードを変更できる小型で安価なシリンダ錠であって、より多くの目的で利用することが可能なシリンダ錠を提供できるようにするものである。
【課題を解決するための手段】
【００５３】
本発明によるシリンダ錠は、予め定められたキーコードを有する鍵をキーコードのセットおよびリセットが可能な可変機構を内設したシリンダ本体の鍵穴に挿入し、鍵を一方向に回動操作することにより挿入された鍵のコードがセットされたキーコードに一致した場合に開錠し、鍵を他方向に回動操作することによりセットされたキーコードがリセットするように形成されたシリンダ錠であって、シリンダ錠は、挿入された鍵の回動操作により回動するシリンダと、このシリンダを覆うカバーとから構成するとともに、鍵の回動操作で開錠した場合にシリンダの回動に応じて電気信号を発生するスイッチと、シリンダ本体の鍵穴面側に設けられ他方向への鍵の回動を規制する規制手段とを備え、鍵を一方向に回動操作して開錠した場合、電気的信号を出力し、鍵を他方向に回動操作する場合、他方向への鍵の回動操作を規制する。
【００５４】
本発明によるシリンダ錠においては、鍵の回動操作で開錠した場合にシリンダの回動に応じて電気信号が発生され、シリンダ本体の鍵穴面側に設けられ他方向への鍵の回動が規制され、鍵を一方向に回動操作して開錠した場合、電気的信号が出力され、鍵を他方向に回動操作する場合、他方向への鍵の回動操作が規制される。
【００５５】
従って、遊技機に対する重要な設定の操作などを、正規の鍵を有する者のみが行えるようにすることができる。
【００６３】
前記規制手段は、鍵穴面側に設けられたリセットボタンと、シリンダの一部と、シリンダを覆うカバーの一部とにそれぞれ係合するリセットピンと、リセットピンおよびリセットボタンを、鍵の挿入方向と逆の方向であって、カバーから露出させる方向に付勢するバネを含み、リセットボタンが押圧された場合、リセットピンが鍵の挿入方向に移動し、リセットピンとカバーの一部との係合が解除させられるようにすることができる。
【００６４】
前記リセットボタンは、シリンダの鍵穴がカバーから露出する面と同じ面において、カバーから外部に露出するようにすることができる。
【００６５】
従って、前面からリセットボタンを操作させるようにすることができる。
【発明を実施するための最良の形態】
【００６９】
以下に、本発明の実施の形態について図面を参照して説明する。
【００７０】
図１２および図１３は、本発明を適用したシリンダ錠１９１の外観の例を示している。図１２は、シリンダ錠１９１の前端部側の外観の斜視図である。図１３は、シリンダ錠１９１の後端部側の外観の斜視図である。
【００７１】
シリンダ錠１９１の、外周シリンダ２０１の内側には、正規の鍵が挿入された場合に、鍵と共に回動する内周シリンダ２０３が設けられている。内周シリンダ２０３が外周シリンダ２０１に配置された状態において、内周シリンダ２０３に設けられた、鍵が挿入される鍵穴２０３ａは、外周シリンダ２０１から外部に露出する。
【００７２】
また、外周シリンダ２０１の後部には、シリンダ錠１９１を固定するための取り付けフランジ２０１aが設けられている。取り付けフランジ２０１ａの上側および下側にそれぞれ、取り付け用のネジなどを貫通させる取り付け用孔２０２−１および２０２−２が設けられている。
【００７３】
外周シリンダ２０１の背面には、背面カバー２１３が嵌着されている。リセットボタン２１１を押圧できるように、外周シリンダ２０１の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。また、ジョイントカム２１２には、図示せぬ施錠カムが取り付けられる軸部２１２ａ、および凸部２１２ｂが設けられている。すなわち、外周シリンダ２０１は、シリンダ錠１９１において、内周シリンダ２０３、および各構成部品を保持するケースとなる。
【００７４】
図１４は、シリンダ錠１９１を、鍵穴２０３ａが正面となるような位置からみた外観を表す図であり、図１５は、図１４に示されるシリンダ錠１９１を、側面からみた外観を表す図である。
【００７５】
次に、図１６乃至図１８を参照して、シリンダ錠１９１の構造を説明する。図１６は、シリンダ錠１９１の構成を示す斜視図である。図１７は、シリンダ錠１９１の縦断面図である。図１８は、図１７のＡ−Ａ線におけるシリンダ錠１９１の縦断面図である。
【００７６】
開閉プレート２３１−１乃至２３１−８のそれぞれは、その内周シリンダ２０３に対する位置によって、内周シリンダ２０３の回動を可能にするか、または回動を抑制するように動作する。開閉プレート２３１−１乃至２３１−８はそれぞれ、後述する係合穴によってタンブラプレート２３３−１乃至２３３−８と係合する。
【００７７】
開閉プレート用バネ２３２−１乃至２３２−８のそれぞれは、一方の端部が開閉プレート２３１−１乃至２３１−８に当接し、他方の端部がバネカバー２３５に当接するように設けられている。そして、開閉プレート２３１−１乃至２３１−８を、シリンダ錠１９１に挿入された鍵の位置決め面に当接するように、付勢する。図１７に示されるように、開閉プレート２３１−１乃至２３１−８および開閉プレート用バネ２３２−１乃至２３２−８は、それぞれ、内周シリンダ２０３の開閉プレート用孔２８１ａ乃至２８１ｈのそれぞれに挿入される。
【００７８】
バネカバー２３５の孔２３５ａは、内周シリンダ２０３の凸部２９１ａに嵌合され、バネカバー２３５の孔２３５ｂは、内周シリンダ２０３の凸部２９１ｂに嵌合されることにより、バネカバー２３５は、内周シリンダ２０３に固定される（図１７）。
【００７９】
サイドバー２５１は、サイドバー用バネ２５２−１および２５２−２によって、外周シリンダ２０１の内面に押圧される。サイドバー２５１には、凸部２５１ａおよび傾斜面を有する凸部２５１ｂ（以下、単に凸部２５１ｂと称する）が設けられている。サイドバー２５１は、外周シリンダ２０１の凹部２０１ｄと噛み合うか、またはその噛み合いが外れることにより、外周シリンダ２０１に対する内周シリンダ２０３の回動を規制する。
【００８０】
図１８に示されるように、サイドバー２５１は、サイドバー用孔２７４に沿って、図中左右の方向に移動可能な構造とされている。シリンダ錠１９１が開錠可能となる状態においては、サイドバー２５１の凸部２５１ａは、タンブラプレート２３３−４の凹部２３３−４ａに嵌合することにより、外周シリンダ２０１の傾斜面を有する凹部２０１ｄ（以下、単に凹部２０１ｄと称する）とサイドバー２５１の凸部２５１ｂとの嵌合が解除され、内周シリンダ２０３は回動可能となる。
【００８１】
一方、シリンダ錠１９１が施錠された状態においては、サイドバー２５１の凸部２５１ａは、２３３−１乃至２３３−８いずれかの、凹部２３３−１ａ乃至２３３−８ａの以外の側面（図１５中の左側の側面）に当接することにより、外周シリンダ２０１の凹部２０１ｄとサイドバー２５１の凸部２５１ｂとの嵌合は解除されず、内周シリンダ２０３は回動不可能となる。
【００８２】
なお、サイドバー２５１は、サイドバー用バネ２５２−１および２５２−２（図１６）により、通常、サイドバー２５１の凸部２５１ｂが、外周シリンダ２０１の凹部２０１ｄと嵌合する方向、すなわち図中左方向に付勢されている。
【００８３】
図１７に示されるように、リセットボタン２１１は、図中の上下方向に移動可能に設けられている。リセットボタン２１１の凸部２１１ａが、ジョイントブロック２４２に当接しており、ジョイントブロック２４２に当接し、ジョイントブロック２４２、およびリセットボタン２１１を図中の上側に付勢するリセット用バネ２４３が、内周シリンダ２０３の孔２８１ｊに配置されている。なお、リセットボタンの詳細については、図４１を参照して後述する。
【００８４】
完全挿入確認バネ３１１は、その尖端部３１１ａがバネとなっており、尖端部３１１ａが内周シリンダ２０３の鍵穴２０３ａに係合する形状とされ、鍵が完全に挿入されていない場合、尖端部３１１ａが鍵穴２０３ａを掛止し、鍵が完全に挿入された場合、尖端部３１１ａと鍵穴２０３ａの掛止が解除されるように装着される。なお、完全挿入確認バネ３１１の詳細は図２４乃至図３３を参照して後述する。
【００８５】
このように、正規の鍵が挿入された場合、ジョイントカム２１２と共に内周シリンダ２０３の回動が可能となり、正規の鍵が挿入されていない場合、内周シリンダ２０３の回動ができないように、シリンダ錠１９１は構成されている。
【００８６】
また、正規の鍵が挿入され、リセットボタン２１１が押圧された場合、ジョイントカム２１２が外周シリンダ２０１に対して固定されたままで、内周シリンダ２０３の回動が可能になる。
【００８７】
次に、図１９Ａ、図１９Ｂ、図２０Ａ、および図２０Ｂを参照して、開閉プレート２３１−４とタンブラプレート２３３−４の関係について詳細に説明する。上述したように、開閉プレート２３１−４とタンブラプレート２３３−４は係合する。このため、開閉プレート２３１−４の図中右側の上部には、３つの穴により構成される係合穴２３１−４ａが設けられており、図中右側の下部には、やはり３つの穴で構成される係合穴２３１−４ｂが設けられている。一方、タンブラプレート２３３−４には、係合穴２３１−４ａのいずれか１つの穴に係合する径をもつ係合ピン２３３−４ｂ、および係合穴２３１−４ｂのいずれか１つの穴に係合する径をもつ係合ピン２３３−４ｃが設けられている。
【００８８】
従って、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合する。そして、開閉プレート２３１−４とタンブラプレート２３３−４が係合することにより、開閉プレート２３１−４とタンブラプレート２３３−４の図中上下方向の位置が決まる。
【００８９】
図１９Ｂは、このように構成される開閉プレート２３１−４とタンブラプレート２３３−４を備えるシリンダ錠１９１の断面図である。
【００９０】
図１９Ａにおいては、係合穴２３１−４ａおよび係合穴２３１−４ｂが、それぞれ独立した３つの穴で構成されるようにしたが、実際には、係合穴２３１−４ａおよび係合穴２３１−４ｂを、それぞれ、図２０Ａに示されるように構成してもよい。
【００９１】
図２０Ａにおいて、係合穴２３１−４ａおよび係合穴２３１−４ｂは、それぞれ独立した３つの穴ではなく、第１番目（図中最上部）の穴の下部と第２番目（図中中間）の穴の上部が当接し、また、第２番目（図中中間）の穴の下部と、第３番目（図中最下部）の穴の上部が当接するように構成されている。
【００９２】
すなわち、図２０Ａの係合穴２３１−４ａおよび係合穴２３１−４ｂは、図１９Ａに示される、それぞれの３つの穴を、図中縦方向に近接させたものであり、このように係合穴２３１−４ａおよび係合穴２３１−４ｂを構成することにより、開閉プレート２３１−４を、図１９Ａの場合と比較して、さらに小型化することができる。また、係合ピン２３３−４ｂおよび係合ピン２３３−４ｃは、やはり、それぞれ係合穴２３１−４ａおよび係合穴２３１−４ｂのいずれか１つの穴に係合するので、開閉プレート２３１−４とタンブラプレート２３３−４の図中上下方向の位置を決めることができる。
【００９３】
ここでは、開閉プレート２３１−４およびタンブラプレート２３３−４を例として説明したが、開閉プレート２３１−１乃至２３１−３、および開閉プレート２３１−５乃至２３１−８、並びにタンブラプレート２３３−１乃至２３３−３、およびタンブラプレート２３３−５乃至２３３−８も、それぞれ開閉プレート２３１−４およびタンブラプレート２３３−４と同様に構成されている。
【００９４】
図２０Ｂは、このように構成される開閉プレート２３１−４とタンブラプレート２３３−４を用いて構成される、シリンダ錠１９１の断面図である。
【００９５】
同図に示されるように、上述した係合穴２３１−４ａおよび係合穴２３１−４ｂ、並びに係合ピン２３３−４ｂおよび係合ピン２３３−４ｃによって、開閉プレート２３１−４とタンブラプレート２３３−４が係合しており、タンブラプレート２３３−４の凹部２３３−４ａの図中上下方向の高さが、サイドバー２５１の凸部２５１ａの図中上下方向の高さと一致している。これは、鍵穴２０３ａに挿入された鍵の形状に従って、開閉プレート２３１−４が図中上下方向に移動し、開閉プレート２３１−４に係合しているタンブラプレート２３３−４が、開閉プレート２３１−４の移動に伴って、図中上下方向に移動した結果であり、鍵の形状によっては、凹部２３３−４ａの図中上下方向の高さが、凸部２５１ａの図中上下方向の高さと一致しない場合もある（鍵の形状については、図２２を参照して後述する）。
【００９６】
上述したように、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合し、開閉プレート２３１−４とタンブラプレート２３３−４の図中上下方向の位置が決まる。従って、鍵を挿入したとき、凹部２３３−４ａの図中上下方向の高さを、凸部２５１ａの図中上下方向の高さと一致させるためには、鍵の形状に合わせて、係合ピン２３３−４ｂおよび係合ピン２３３−４ｃを、それぞれ係合穴２３１−４ａおよび係合穴２３１−４ｂのどの穴に係合させるかを決定する必要がある（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）。
【００９７】
すなわち、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂのどの穴に係合させるかが、シリンダ錠１９１を開施錠する鍵を特定する、キーコードとなる。
【００９８】
図２１を参照して、開閉プレート２３１−４とタンブラプレート２３３−４に加えて、サイドバー２５１の関係を詳細に説明する。サイドバー２５１は、タンブラプレート２３３−４が嵌合するタンブラプレート用孔２５１ｃを有しており、タンブラプレート２３３−４は、タンブラプレート用孔２５１ｃに嵌合し、タンブラプレートの面２３３−４ｄが、タンブラプレート用孔２５１ｃに隣接するサイドバー２５１の凸部２５１ｄの図中左側の面と当接するように構成されている。そして、サイドバー２５１が、矢印４５２の方向に移動することにより、タンブラプレート２３３−４の凹部２３３−４ａと、サイドバー２５１のタンブラプレート用孔２５１ｃの中に設けられた凸部２５１ａが嵌合する。
【００９９】
すなわち、サイドバー２５１は、矢印４５２の方向に移動することができるように構成されており、その場合、タンブラプレート２３３−４の位置は変化しない。また、サイドバー２５１が矢印４５１の方向にも移動することができるように構成されており、その場合、タンブラプレート用孔２５１ｃに嵌合しているタンブラプレート２３３−４もサイドバー２５１の移動に伴って、矢印４５１の方向に移動する。
【０１００】
換言すれば、タンブラプレート２３３−４（タンブラプレート２３３−１乃至２３３−８）は、開閉プレート２３１−４（開閉プレート２３１−１乃至２３１−８）の移動に伴って図中上下方向に移動可能であり、サイドバー２５１の移動に伴って、矢印４５１の方向、すなわち、シリンダ錠１９１の鍵の挿入方向にも移動可能となるように構成されている。
【０１０１】
上述したように、係合ピン２３３−４ｂおよび係合ピン２３３−４ｃがそれぞれ係合穴２３１−４ａおよび係合穴２３１−４ｂのいずれか１つの穴に係合するので、開閉プレート２３１−４の面２３１−４ｄとタンブラプレート２３３−４の面２３３−４ｄが当接するように、開閉プレート２３１−４とタンブラプレート２３３−４は係合している。
【０１０２】
サイドバー２５１が矢印４５１の方向に移動する場合、タンブラプレート用孔２５１ｃに嵌合しているタンブラプレート２３３−４は、サイドバー２５１の移動に伴って、矢印４５１の方向に移動するが、開閉プレート２３１−４は、図１７を参照して上述したように、内周シリンダ２０３の開閉プレート用孔２８１ｄに挿入されて固定されているため移動しない。このため、サイドバー２５１が矢印４５１の方向に移動すると、タンブラプレート２３３−４の面２３３−４ｄは、開閉プレート２３１−４の面２３１−４ｄから離れ、その結果、係合ピン２３３−４ｂおよび係合ピン２３３−４ｃと、係合穴２３１−４ａおよび係合穴２３１−４ｂとの係合が解除される。
【０１０３】
このように、係合ピン２３３−４ｂおよび係合ピン２３３−４ｃと、係合穴２３１−４ａおよび係合穴２３１−４ｂとの係合を解除する（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）ことで、シリンダ錠１９１のキーコードをリセットすることができる。
【０１０４】
なお、同図に示されているように、実際には、係合ピン２３３−４ｂおよび係合ピン２３３−４ｃは、それぞれその尖端部分が序々に細くなるような傾斜を有する構成とされる。また、係合穴２３１−４ａおよび係合穴２３１−４ｂは、それぞれその上部（面２３１−４ｄ側）が序々に広くなるような傾斜を有する構成とされる。このように構成することにより、係合ピン２３３−４ｂおよび係合ピン２３３−４ｃの位置が、それぞれ係合穴２３１−４ａおよび係合穴２３１−４ｂのいずれか１つの穴の位置に、正確に一致していなくても、係合ピン２３３−４ｂおよび係合ピン２３３−４ｃが、それぞれ係合穴２３１−４ａおよび係合穴２３１−４ｂのいずれか１つの穴に、よりスムーズに係合するようにできる。
【０１０５】
このように、本発明のシリンダ錠１９１においては、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂと係合させたり、または係合を解除させることにより、簡単にキーコードを設定、またはリセットできる。
【０１０６】
次に図２２を参照して、シリンダ錠１９１に挿入される鍵Ｋ3の例を説明する。図２２は、鍵Ｋ3の外観の例を示す斜視図である。鍵Ｋ3は、ユーザが鍵Ｋ3を回動させる場合に、保持する保持部４１１、およびシリンダ錠１９１に挿入する挿入部４１２により構成されている。挿入部４１２には、３段階の深さ（高さ）を有するすり鉢形状の孔として位置決め面４２１乃至４２８が設けられている。位置決め面４２１乃至４２８の３段階の深さ（高さ）の組み合わせにより、鍵Ｋ3のキーコードが特定される。
【０１０７】
なお、位置決め面４２１乃至４２８は、シリンダ錠１９１に挿入された場合、内周シリンダ２０３に対する、タンブラプレート２３３−１乃至２３３−８のそれぞれの位置を決めることができれば足り、すり鉢形状に限られない。
【０１０８】
図２３を参照して、正規の鍵Ｋ3が挿入されたシリンダ錠１９１について説明する。図２３は、鍵Ｋ3が挿入されたシリンダ錠１９１の縦断面図である。同図に示されるように、シリンダ錠１９１に鍵Ｋ3が挿入されると、開閉プレート２３１−１乃至２３１−８のそれぞれは、位置決め面４２１乃至４２８のそれぞれに当接することによって、３段階の位置（高さ（図２３中の縦方向））のうちの１つの位置に移動する。
【０１０９】
また、同図においては、完全挿入確認バネ３１１の記載が省略されているが、シリンダ錠１９１に鍵Ｋ3が完全に挿入されると、鍵Ｋ3の挿入部４１２の尖端部が完全挿入確認バネ３１１の尖端部３１１ａに当接する。
【０１１０】
図２４乃至図２８を参照して、完全挿入確認バネ３１１と鍵Ｋ3の関係について詳細に説明する。図２４は、完全挿入確認バネ３１１の、内周シリンダ２０３またはジョイントカム２１２に対する取り付け位置を表す斜視図である。同図に示されるように、完全挿入確認バネ３１１は、内周シリンダ２０３とジョイントカム２１２の間に挿入される。上述したように、完全挿入確認バネ３１１は、その尖端部３１１ａがバネとなっており、通常（鍵Ｋ3が完全に挿入されていない場合）、尖端部３１１ａが内周シリンダ２０３の鍵穴２０３ａに入り込むように、バネ（尖端部３１１ａ自身）により付勢されている。
【０１１１】
図２５は、完全挿入確認バネ３１１が装着されたシリンダ錠１９１の縦断面図である。なお、同図は、図２３と同様の縦断面図であるが、図２５において、内周シリンダ２０３は、図２３の状態から１８０°回転した状態とされており、これに伴って、開閉プレート２３１−１乃至２３１−８などが図中下側に表示されている。
【０１１２】
図２６は、図２５における完全挿入確認バネ３１１の周辺（図中円で囲まれた部分）を拡大した図である。同図に示されるように、完全挿入確認バネ３１１が、内周シリンダ２０３とジョイントカム２１２の間に装着されており、尖端部３１１ａは、内周シリンダ２０３の鍵穴２０３ａに係合するため、バネにより付勢されて内周シリンダ２０３の内部（図中左側）に突出している。この状態では、内周シリンダ２０３は、完全挿入確認バネ３１１により掛止（ロック）されるため、ジョイントカム２１２に対して相対的に回転できない。
【０１１３】
図２７は、図２５のシリンダ錠１９１に鍵Ｋ3が挿入された状態を表す縦断面図である。同図に示されるように鍵Ｋ3の挿入部４１２が挿入されると、挿入部４１２の尖端部が完全挿入確認バネ３１１の尖端部３１１ａと当接する。
【０１１４】
図２８は、図２７における完全挿入確認バネ３１１の周辺（図中円で囲まれた部分）を拡大した図である。同図に示されるように、完全挿入確認バネ３１１の尖端部３１１ａは、挿入部４１２の尖端部によって図中右方向に押圧されて、内周シリンダ２０３の内部に突出しない状態になっている。すなわち、尖端部３１１ａと、内周シリンダ２０３の鍵穴２０３ａのロックが解除された状態となっている。この状態であれば、内周シリンダ２０３は、完全挿入確認バネ３１１によるロックが解除されるため、ジョイントカム２１２に対して相対的に回転できる。
【０１１５】
また、上述したように、完全挿入確認バネ３１１の尖端部３１１ａは、図中左から挿入される鍵の挿入部４１２の尖端部により、図中右方向に押圧されるようになっている。従って、シリンダ錠１９１に対して、鍵４１２を完全に（図中右方向一杯に）挿入しないと、尖端部３１１ａと、内周シリンダ２０３の鍵穴２０３ａの係合は解除されない。このため、挿入部４１２を中途半端に挿入しても、完全挿入確認バネ３１１によるロックが解除されず、内周シリンダ２０３は、ジョイントカム２１２に対して相対的に回転できない。
【０１１６】
このように、シリンダ錠１９１は、鍵Ｋ3が完全に挿入された場合、内周シリンダ２０３が回転するように構成されている。このように構成することで、例えば、ピッキングなどによりシリンダ錠１９１が不正に開錠されることを抑止し、また、キーコードを変更するとき、鍵が完全に挿入されていない状態で、その形状が誤って認識され、誤ったキーコードが登録されることを抑止することができる。
【０１１７】
この例では、完全挿入確認バネ３１１の尖端部３１１ａと、挿入部４１２の尖端部が当接するようにシリンダ錠１９１が構成されているが、完全挿入確認バネ３１１の尖端部３１１ａを覆うボタンを設けて、このボタンと、挿入部４１２の尖端部が当接するようにシリンダ錠１９１を構成してもよい。図２９乃至図３３は、完全挿入確認ボタン３１２を設けた場合の、完全挿入確認バネ３１１と鍵Ｋ3の関係を表す図である。
【０１１８】
図２９は、完全挿入確認バネ３１１と完全挿入確認ボタン３１２の、内周シリンダ２０３またはジョイントカム２１２に対する取り付け位置を表す斜視図である。同図は、図２４に対応する図であるが、図２４の場合と異なり、完全挿入確認バネ３１１と、内周シリンダ２０３の間に、完全挿入確認ボタン３１２が装着されている。そして、鍵Ｋ3が完全に挿入されていない場合、完全挿入確認ボタン３１２が内周シリンダ２０３の鍵穴２０３ａに係合するように、バネにより付勢されている。
【０１１９】
図３０は、図２５に対応する縦断面図であり、図３１は、図３０の完全挿入確認ボタン３１２の周辺（図中円で囲まれた部分）を拡大した図である。
【０１２０】
図３１に示されるように、完全挿入確認バネ３１１は、内周シリンダ２０３とジョイントカム２１２の間に装着されており、尖端部３１１ａを覆う完全挿入確認ボタン３１２は、内周シリンダ２０３の鍵穴２０３ａに係合するため、バネ（尖端部３１１ａ）により付勢され、内周シリンダ２０３の内部（図中左側）に突出している。この状態では、内周シリンダ２０３は、完全挿入確認ボタン３１２によりロックされるため、ジョイントカム２１２に対して相対的に回転できない。
【０１２１】
図３２は、図３０のシリンダ錠１９１に鍵Ｋ3の挿入部４１２が挿入された状態を表す縦断面図である。同図に示されるように挿入部４１２が挿入されると、挿入部４１２の尖端部が完全挿入確認ボタン３１２と当接する。
【０１２２】
図３３は、図３２における完全挿入確認ボタン３１２の周辺（図中円で囲まれた部分）を拡大した図である。同図に示されるように、完全挿入確認ボタン３１２は、図中左方向から挿入される鍵の挿入部４１２の尖端部により図中右方向に押圧され、挿入部４１２の尖端部と当接する面が、内周シリンダ２０３の図中右端の面とほぼ同等の位置となるまで、図中右側に移動している。すなわち、完全挿入確認ボタン３１２と、内周シリンダ２０３の鍵穴２０３ａの係合が解除された状態となっている。この状態であれば、内周シリンダ２０３は、完全挿入確認ボタン３１２によるロックが解除されるため、ジョイントカム２１２に対して相対的に回転できる。
【０１２３】
このように構成することで、図２４を参照して上述した場合と同様に、シリンダ錠１９１が不正に開錠されることを抑止し、また、キーコードを変更するとき、誤ったキーコードが登録されることを抑止することができるとともに、鍵が完全に挿入されたか否かをより正確に検知することができる。
【０１２４】
鍵Ｋ3が挿入されたときのシリンダ錠１９１の内部の状態について、さらに詳細に説明する。図３４Ａ、図３４Ｂ、および図３４Ｃのそれぞれは、図２３のＣ−Ｃ線、Ｄ−Ｄ線、およびＥ−Ｅ線におけるシリンダ錠１９１の縦断面図である。
【０１２５】
図３４Ａで示されるように、開閉プレート２３１−３が鍵Ｋ3の挿入部４１２の位置決め面４２３に当接されることで、開閉プレート２３１−３を図中下方向に付勢するバネ２３２−３が縮み、開閉プレート２３１−３が図中上方向に移動すると共に、開閉プレート２３１−３と係合しているタンブラプレート２３３−３の図中上下方向の位置も位置決めされる。すなわち、開閉プレート２３１−３は、鍵Ｋ3の形状に応じて位置決め面４２３の位置が変化する方向である図３４Ａの上下方向に移動可能となるように設けられており、タンブラプレート２３３−３は、係合ピン２３３−３ｂおよび２３３−３ｃが係合穴２３１−３ａおよび２３１−３ｂにそれぞれ係合されているので、開閉プレート２３１−３の上下方向の位置を追従し、その位置が特定されるように設けられている。
【０１２６】
開閉プレート２３１−３は、鍵Ｋ3の挿入部４１２の位置決め面のうち、最も低い位置決め面４２３に当接するが、タンブラプレート２３３−３の係合ピン２３３−３ｂおよび２３３−３ｃは、開閉プレート２３１−３の係合穴２３１−３ａおよび２３１−３ｂのうち、最も高い位置の穴に係合しているので、タンブラプレート２３３−３は、位置決め面４２３に対してより高い位置に配置される。
【０１２７】
その結果、タンブラプレート２３３−３の凹部２３３−３ａの図中の上下方向の位置がサイドバー２５１の凸部２５１ａの図中の上下方向の位置に一致する。
【０１２８】
また、図３４Ｂで示されるように、開閉プレート２３１−５が鍵Ｋ3の挿入部４１２の位置決め面４２５に当接して、図中の上方向に移動されることで、開閉プレート２３１−５と共に、開閉プレート２３１−５と係合しているタンブラプレート２３３−５も上方向に移動される。
【０１２９】
開閉プレート２３１−５は、鍵Ｋ3の挿入部４１２の中間の高さの位置決め面４２５に当接するが、タンブラプレート２３３−５の係合ピン２３３−５ｂおよび２３３−５ｃは、開閉プレート２３１−５の係合穴２３１−５ａおよび２３１−５ｂのうち、中間の高さの穴に係合しているので、タンブラプレート２３３−５は、位置決め面４２５に対して中間の高さの位置に配置される。
【０１３０】
その結果、タンブラプレート２３３−５の凹部２３３−５ａの図中の上下方向の位置がサイドバー２５１の凸部２５１ａの図中の上下方向の位置に一致する。
【０１３１】
さらに、図３４Ｃで示されるように、開閉プレート２３１−７が鍵Ｋ3の挿入部４１２の位置決め面４２７に当接して、図中の上方向に移動されることで、開閉プレート２３１−７と共に、開閉プレート２３１−７と係合しているタンブラプレート２３３−７も上方向に移動される。
【０１３２】
開閉プレート２３１−７は、鍵Ｋ3の挿入部４１２の最も高い位置決め面４２７に当接するが、タンブラプレート２３３−７の係合ピン２３３−７ｂおよび２３３−７ｃは、開閉プレート２３１−７の係合穴２３１−７ａおよび２３１−７ｂのうち、最も低い位置の穴に係合しているので、タンブラプレート２３３−７は、位置決め面４２７に対してより低い位置に配置される。
【０１３３】
その結果、タンブラプレート２３３−７の凹部２３３−７ａの図中の上下方向の位置がサイドバー２５１の凸部２５１ａの図中の上下方向の位置に一致する。
【０１３４】
以上、タンブラプレート２３３−３，２３３−５および２３３−７について説明したが、タンブラプレート２３３−１，２３３−２，２３３−４，２３３−６、および２３３−８も同様に、その凹部２３３−１ａ，２３３−２ａ，２３３−４ａ，２３３−６ａ、および２３３−８ａの位置がサイドバー２５１の凸部２５１ａの位置に一致する。すなわち、シリンダ錠１９１は、正規の鍵Ｋ3の挿入部４１２の形状（位置決め面４２１乃至４２８の高さ）に合わせてキーコードが設定されているので、鍵Ｋ3が挿入された場合、各タンブラプレートの凹部の位置が全てサイドバー２５１の凸部２５１ａの位置と一致する。従って、サイドバー２５１の凸部２５１ａは、内周シリンダ２０３を回動してシリンダ錠１９１を開錠する際には、タンブラプレート２３３−１乃至２３３−８の凹部２３３−１ａ乃至２３３−８ａに挿入されることになる。
【０１３５】
次に、図３５乃至図３９を参照して、シリンダ錠１９１の開錠の詳細について、順を追って説明する。図３５は、鍵Ｋ3が挿入されていない状態の、図１７のＡ−Ａ線におけるシリンダ錠１９１の縦断面図である。同図に示されるように、シリンダ錠１９１には鍵Ｋ3の挿入部４１２が挿入されていないため、開閉プレート２３１−４は、挿入部４１２の位置決め面と当接しておらず、開閉プレート用バネ２３２−４によって、図中下方向に付勢され、開閉プレート２３１−４と共に、開閉プレート２３１−４と係合しているタンブラプレート２３３−４も下方向に付勢されている。その結果、タンブラプレート２３３−４の凹部２３３−４ａの図中の上下方向の位置とサイドバー２５１の凸部２５１ａの図中の上下方向の位置が一致していない。
【０１３６】
図３６は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致しない状態となっており、サイドバー２５１は、開閉プレート２３１−４、およびタンブラプレート２３３−４に対して、後述する図３９の場合と比較して、遠い位置にある（離れている）。
【０１３７】
次に、シリンダ錠１９１に鍵Ｋ3が挿入されると、図３７に示されるように、開閉プレート２３１−４が鍵Ｋ3の挿入部４１２の位置決め面４２４に当接して、図中の上方向に移動されることで、開閉プレート２３１−４と共に、開閉プレート２３１−４と係合しているタンブラプレート２３３−４も上方向に移動される。その結果、タンブラプレート２３３−４の凹部２３３−４ａの図中の上下方向の位置がサイドバー２５１の凸部２５１ａの図中の上下方向の位置に一致する。
【０１３８】
上述したように、正規の鍵Ｋ3が完全に挿入されると、タンブラプレート２３３−４に限らず、タンブラプレート２３３−１乃至２３３−８の全てがそれぞれ移動され、タンブラプレート２３３−１乃至２３３−８の凹部２３３−１ａ乃至２３３−８ａの図中の上下方向の位置が、全てサイドバー２５１の凸部２５１ａの図中の上下方向の位置に一致する。
【０１３９】
この状態で、ユーザが鍵Ｋ3を図中時計回りに回動させると、サイドバー２５１（の凸部２５１ｂ）は、外周シリンダ２０１（凹部２０１ｄ）の形状に沿って、図中右方向に緩やかに押圧される。そして、サイドバー２５１が右方向に移動して、凸部２５１ａがタンブラプレートの凹部２３３−１a乃至２３３−８ａに挿入されることになる。
【０１４０】
すなわち、図３８に示されるように、鍵Ｋ3が回動されることで、外周シリンダ２０１の凹部２０１dとサイドバー２５１の凸部２５１ｂとの嵌合が解除される（内周シリンダ２０３が外周シリンダ２０１に対して回動する状態になる）。
【０１４１】
このとき、開閉プレート２３１−４とタンブラプレート２３３−４が係合する部分である係合穴２３１−４ａおよび係合穴２３１−４ｂと係合ピン２３３−４ｂおよび係合ピン２３３−４ｃには、図中上下方向に、互いに相反する方向に力がかかる（負荷がかかる）が、係合穴２３１−４ａおよび係合穴２３１−４ｂと係合ピン２３３−４ｂおよび係合ピン２３３−４ｃは、前後方向（図中奥行方向）に係合するように構成されているので、回動中に係合が外れる可能性は低く、その結果シリンダ錠１９１の耐久性が向上する。
【０１４２】
図３９は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致した状態となっており、サイドバー２５１の凸部２５１ａがタンブラの凹部２３３−１a乃至２３３−８ａに挿入されたため、サイドバー２５１は、開閉プレート２３１−４、およびタンブラプレート２３３−４に対して、図３６の場合と比較して近接している。
【０１４３】
このように、シリンダ錠１９１は、正規の鍵Ｋ3を完全に挿入し、回動させることで開錠することができる。シリンダ錠１９１の開錠を制御する部品は、主に、サイドバー２５１、開閉プレート２３１−１乃至２３１−８、およびタンブラプレート２３３−１乃至２３３−８なので、従来のシリンダ錠に比べて部品数が少なく、シリンダ錠１９１を、簡単かつ耐久性の高い構造にすることができる。
【０１４４】
一方、正規の鍵Ｋ3が完全に挿入されていない場合、シリンダ錠１９１を開錠することはできない。すなわち、正規の鍵以外の鍵を挿入したり、正規の鍵Ｋ3の挿入が完全でないような（鍵Ｋ3を中途半端に挿入したような）場合、図４０に示されるように、開閉プレート２３１−４が挿入された鍵の位置決め面に当接して、図中の上方向に移動されることで、開閉プレート２３１−４と共に、開閉プレート２３１−４と係合しているタンブラプレート２３３−４も上方向に移動されるものの、タンブラプレート２３３−４の凹部２３３−４ａの図中の上下方向の位置がサイドバー２５１の凸部２５１ａの図中の上下方向の位置に一致しない状態になる。
【０１４５】
なお、図４０において、シリンダ錠１９１には正規の鍵Ｋ3以外の鍵が挿入されており、開閉プレート２３１−４は、その鍵の位置決め面（位置決め面４２４とは、図中上下方向の位置が異なる位置決め面）と当接しているものとする。
【０１４６】
この状態で、鍵を回動しようとすると、サイドバー２５１（の凸部２５１ｂ）は、上述した場合と同様に、外周シリンダ２０１（凹部２０１ｄ）の形状に沿って、図中右方向に緩やかに押圧されるが、凸部２５１ａが、タンブラプレート２３３−４の凹部２３３−４ａのやや上の部分に当接してしまい、サイドバー２５１は、図中右側に移動することができない。従って、外周シリンダ２０１の凹部２０１dとサイドバー２５１の凸部２５１ｂとの嵌合が解除されず、鍵を回動させることはできない。
【０１４７】
仮に、その鍵の開閉プレート２３１−４に対応する位置決め面の高さが、偶然適当な位置に設定されており、凹部２３３−４ａの図中の上下方向の位置がサイドバー２５１の凸部２５１ａの図中の上下方向の位置に一致したとしても、正規の鍵Ｋ3を完全に挿入しなければ、凹部２３３−１ａ乃至２３３−８ａのいずれかのうち、少なくとも１つは、サイドバー２５１の凸部２５１ａと、図中の上下方向の位置が一致しない状態になる。
【０１４８】
従って、サイドバー２５１（の凸部２５１ｂ）を図中右方向に押圧しても、タンブラプレート２３３−１乃至２３３−８のいずれかのうち、少なくとも１つは、サイドバー２５１の凸部２５１ａと、その凹部２３３−１ａ乃至２３３−８ａ以外の部分で当接してしまい、サイドバー２５１の凸部２５１ａが、タンブラの凹部２３３−１a乃至２３３−８ａに挿入されず、外周シリンダ２０１の凹部２０１ｄとサイドバー２５１の凸部２５１ｂとの嵌合が外れることがないため内周シリンダ２０３は外周シリンダ２０１に対して回動することができないことになる。
【０１４９】
このように、シリンダ錠１９１は、正規の鍵Ｋ3が完全に挿入されなければ、開錠できないように施錠されている。
【０１５０】
次に、図４１乃至図４６を参照してシリンダ錠１９１のキーコードをリセットするリセット状態への移行について説明する。図４１は、リセットボタン２１１を説明する図である。同図に示されるように、リセットボタン２１１は、図中の上下方向に移動可能に設けられている。リセットボタン２１１の凸部２１１ａは、ジョイントブロック２４２に当接し、ジョイントブロック２４２に当接するリセット用バネ２４３は、内周シリンダ２０３の孔２８１ｊに配置される。リセット用バネ２４３は、ジョイントブロック２４２、およびリセットボタン２１１を図中の上側に付勢する。
【０１５１】
リセットボタン２１１が図中の下方向に押圧されていない状態においては、ジョイントブロック２４２が、内周シリンダ２０３の孔２８１ｊに挿入され、嵌合されると共に、ジョイントブロック２４２は、ジョイントカム２１２の凹部２１２ｃと嵌合する。従って、リセットボタン２１１が図中の下方向に押圧されていない状態においては、内周シリンダ２０３にジョイントカム２１２が固定される。
【０１５２】
一方、リセットボタン２１１が図中の下方向に押圧された場合、ジョイントブロック２４２が、図中の下方向に移動し、リセットボタン２１１がジョイントカム２１２に嵌合する。そして、ジョイントブロック２４２の上側の面と、ジョイントカム２１２の内周の面とが一致することにより、外周シリンダ２０１に対して、内周シリンダ２０３は回動自在となるとともに、ジョイントカム２１２は、外周シリンダ２０１に固定される。
【０１５３】
図４２Ａは、正規の鍵Ｋ3が挿入され、リセットされていないシリンダ錠１９１について、図１７の図中上方向からみた断面図である。図４２Ｂは、図４２ＡのＦ−Ｆ線におけるシリンダ錠１９１の縦断面図である。
【０１５４】
図４２Ａに示されるように、開閉プレート２３１−１乃至２３１−８は、タンブラプレート２３３−１乃至２３３−８と係合されており、図４２Ｂに示されるように、正規の鍵Ｋ3が挿入されることで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。
【０１５５】
シリンダ錠１９１をリセットする場合、リセットボタン２１１を押下した状態で、鍵Ｋ3を回動させる。すなわち、シリンダ１９１を開錠する場合と同様に、外周シリンダ２０１の凹部２０１dとサイドバー２５１の凸部２５１ｂとの嵌合が解除され、内周シリンダ２０３が外周シリンダ２０１に対して回動するが、シリンダ１９１を開錠する場合と異なり、リセットボタン２１１がジョイントカム２１２に嵌合しているため、ジョイントカム２１２は、外周シリンダ２０１に固定され、回動しない。
【０１５６】
図４３は、図４２Ａに示される状態から、リセットボタン２１１を押下して、鍵Ｋ3を１８０°回動させた状態を表す図である。同図においては、内周シリンダ２０３の回動に伴って、開閉プレート２３１−１乃至２３１−８、タンブラプレート２３３−１乃至２３３−８、およびサイドバー２５１も回動している。すなわち、図４２Ａにおいて、タンブラプレート２３３−１乃至２３３−８およびサイドバー２５１は、図中左側に表示されているが、図４３において、タンブラプレート２３３−１乃至２３３−８およびサイドバー２５１は、図中右側に表示されている。なお、開閉プレート２３１−１乃至２３１−８は、図４２Ａの状態から、その上下が逆転した状態となっている。
【０１５７】
サイドバー２５１は、サイドバー２５１の図４３中上方向の端部に当接するように装着されたサイドバー前後移動用バネ２５２−３により図４３中下方向に付勢される。さらにジョイントカム２１２は、図４３中左側の端部２１２ｄに対して、図４３中右側の端部２１２ｅの方が下方向に突出するように構成されており、ジョイントカム２１２の端部に、図４３中上側の端部を当接させながら回動するサイドバー２５１は、サイドバー前後移動用バネ２５２−３とジョイントカム２１２端部２１２ｅにより図４３中下方向に付勢され、サイドバー２５１全体が、図４３中下方向に移動する。その結果、サイドバー２５１の図４３中下側の端部２５１ｄが、外周シリンダ２０１の凹部２０１ｅに嵌合する。
【０１５８】
このとき、図２１を参照して上述したように、サイドバー２５１のタンブラプレート用孔２５１ｃに嵌合しているタンブラプレート２３３−１乃至２３３−８もサイドバー２５１の移動に伴って、図４３中下方向に移動する。そして、タンブラプレート２３３−１乃至２３３−８の面２３３−１ｄ乃至２３３−８ｄは、開閉プレート２３１−１乃至２３１−８の面２３１−１ｄ乃至２３１−８ｄから離れ、係合ピン２３３−１ｂ乃至２３３−８ｂおよび係合ピン２３３−１ｃ乃至２３３−８ｃと、係合穴２３１−１ａ乃至２３１−８aおよび係合穴２３１−１ｂ乃至２３１−８ｂとの係合が解除される。
【０１５９】
図４４Ａ、図４４Ｂ、図４５Ａ、および図４５Ｂを参照して、サイドバー２５１の移動に伴って、開閉プレート２３１−１乃至２３１−８とタンブラプレート２３３−１乃至２３３−８の係合が解除される様子を説明する。
【０１６０】
図４４Ａは、開閉プレート２３１−４とタンブラプレート２３３−４の係合が解除されていない状態の、サイドバー２５１の位置を表す斜視図である。同図において、サイドバー２５１（内周シリンダ２０３）は、その端部２５１ｄが、図４３の外周シリンダ２０１の凹部２０１ｅに嵌合する位置まで回動されていないものとする。
【０１６１】
図４４Ｂは、図４４Ａを矢印４９１の方向からみた図である。同図に示されるように、タンブラプレート２３３−４の係合ピン２３３−４ｂおよび２３３−４ｃが開閉プレート２３１−４の係合穴２３１−４ａおよび係合穴２３１−４ｂと係合し、その結果、開閉プレート２３１−４の面２３１−４ｄとタンブラプレート２３３−４の面２３３−４ｅとがほぼ当接している。
【０１６２】
図４５Ａは、図４４Ａに示される状態から、内周シリンダ２０３がさらに回動され、サイドバー２５１の端部２５１ｄが、図４３の外周シリンダ２０１の凹部２０１ｅに嵌合する位置となった状態を表す斜視図である。同図においては、サイドバー２５１が、矢印５１１で示される方向に移動しており、サイドバー２５１の移動に伴って、タンブラプレート２３３−４も矢印５１１で示される方向に移動している。これに対して、開閉プレート２３１−４は移動していない。
【０１６３】
図４５Ｂは、図４５Ａを図４５Ａの矢印４９２の方向からみた図である。同図に示されるように、サイドバー２５１の移動に伴って、タンブラプレート２３３−４も図中右方向に移動したため、開閉プレート２３１−４の面２３１−４ｄからタンブラプレート２３３−４の面２３３−４ｅが離れ、係合ピン２３３−４ｂおよび２３３−４ｃと、開閉プレート２３１−４の係合穴２３１−４ａおよび係合穴２３１−４ｂとの係合が解除されている。
【０１６４】
図４４Ａ、図４４Ｂ、図４５Ａ、および図４５Ｂにおいては、例として、開閉プレート２３１−４とタンブラプレート２３３−４との係合が解除される様子を説明したが、開閉プレート２３１−１乃至３とタンブラプレート２３３−１乃至３の係合、および開閉プレート２３１−５乃至８とタンブラプレート２３３−５乃至８の係合も同様にして解除される。
【０１６５】
この状態で、鍵Ｋ3をシリンダ錠１９１から引き抜くと、リセットが完了する。
【０１６６】
図４６は、図４３のＧ−Ｇ線におけるシリンダ錠１９１の縦断面図である。図４６において、鍵Ｋ3はシリンダ錠１９１から引き抜かれたものとする。同図に示されるように、鍵Ｋ3が引き抜かれたことにより、開閉プレート２３１−４（開閉プレート２３１−１乃至２３１−８も同様）は、開閉プレート用バネ２３２−４により付勢され、図中上方向に移動する。一方、タンブラプレート２３３−４は、凹部２３３−４ａがサイドバー２５１の凸部２５１ａに嵌合して固定されているため移動しない。このとき、開閉プレート２３１−４は、係合穴２３１−４ａおよび係合穴２３１−４ｂのいずれの穴の位置も、タンブラプレート２３３−４の係合ピン２３３−４ｂおよび２３３−４ｃの位置と一致しない状態となるまで、図中上方向に移動する。
【０１６７】
このようにして、シリンダ錠１９１に設定されていた鍵Ｋ3に対応するキーコードがリセットされる。
【０１６８】
次に、シリンダ錠１９１のキーコードを、新しい鍵Ｋ4に対応するキーコードに変更する操作について説明する。キーコードを変更する場合、鍵Ｋ3をシリンダ錠１９１から引き抜いた後、新しい鍵Ｋ4をシリンダ錠１９１に挿入し、鍵Ｋ4を回動させる。
【０１６９】
図４７Ａは、図４３に示される状態から、鍵Ｋ3が引き抜かれ、新しい鍵（例えば、鍵Ｋ4）が挿入された状態を表す図である。図４７Ｂは、図４７ＡのＨ−Ｈ線におけるシリンダ錠１９１の縦断面図である。図４７Ｂに示されるように、鍵Ｋ4が挿入されたことにより、開閉プレート２３１−４（開閉プレート２３１−１乃至２３１−８も同様）が、鍵Ｋ4の所定の位置決め面に当接することにより図中下方向に移動する。この例では、開閉プレート２３１−４は、係合穴２３１−４ａおよび係合穴２３１−４ｂの図中最も下側の穴の位置が、タンブラプレート２３３−４の係合ピン２３３−４ｂおよび２３３−４ｃの位置と一致する状態となるまで、図中下方向に移動している。
【０１７０】
この状態で、鍵Ｋ4を反時計回り（時計回りでもよい）に回動させることによりシリンダ錠１９１のキーコードは変更される。図４７Ａにおいて、鍵Ｋ4を反時計回り（時計回りでもよい）に回動させるとき、サイドバー２５１は、外周シリンダの凹部２０１ｅの形状に従って、図中上方向に緩やかに押圧され、内周シリンダ２０３（鍵Ｋ4）の回動に伴って、図中上方向に移動する。これにより、図４４Ａ、図４４Ｂ、図４５Ａ、および図４５Ｂを参照して上述した場合とは逆に、サイドバー２５１の移動に伴って、開閉プレート２３１−１乃至２３１−８とタンブラプレート２３３−１乃至２３３−８が係合する。
【０１７１】
図４８Ａは、図４７Ａに示される状態から、鍵Ｋ4（内周シリンダ２０３）を反時計回り（時計回りでもよい）に１８０°回動させた状態を表す図である。同図において、内周シリンダ２０３の回動に伴って、開閉プレート２３１−１乃至２３１−８、タンブラプレート２３３−１乃至２３３−８、およびサイドバー２５１も回動している。すなわち、図４７Ａにおいて、タンブラプレート２３３−１乃至２３３−８およびサイドバー２５１は、図中右側に表示されているが、図４８Ａにおいて、タンブラプレート２３３−１乃至２３３−８およびサイドバー２５１は、図中左側に表示されている。なお、開閉プレート２３１−１乃至２３１−８は、図４７Ａの状態からその上下が逆転した状態となっている。そして、サイドバー２５１が図中上方向に移動したことに伴って、開閉プレート２３１−１乃至２３１−８と、タンブラプレート２３３−１乃至２３３−８が、鍵Ｋ4の位置決め面に合わせた状態に係合されている。
【０１７２】
また、リセット用バネ２４３の付勢力によってリセットボタン２１１が図４１の上方向に戻り、再び内周シリンダ２０３とジョイントカム２１２がジョイントブロック２４２を介して固定される。
【０１７３】
図４８Ｂは、図４８ＡのＩ−Ｉ線におけるシリンダ錠１９１の縦断面図である。同図に示されるように、鍵Ｋ4が挿入されたことで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。すなわち、シリンダ錠１９１のキーコードが、新しい鍵Ｋ4に対応するキーコードに変更されている。
【０１７４】
サイドバー２５１は、サイドバー左右移動用バネ２５２−１および２５２−２により図中左方向に付勢されるため、外周シリンダ２０１の凹部２０１dとサイドバー２５１の凸部２５１ｂが嵌合し、サイドバー２５１は、図中左の方向に移動する。これにより、サイドバー２５１の凸部２５１ａとタンブラプレート２３３−４の凹部２３３−４ａの嵌合が解除される。
【０１７５】
この状態で、鍵Ｋ4をシリンダ錠１９１から引き抜くと、キーコードの変更が完了する。タンブラプレート２３３−１乃至２３３−８は、鍵Ｋ4の位置決め面に基づいて、その凹部２３３−１ａ乃至２３３−８ａの図中の上下方向の位置がサイドバー２５１の凸部２５１ａの図中の上下方向の位置に一致するように位置決めされているので、キーコードの変更が完了した後、シリンダ錠１９１は、鍵Ｋ4以外の鍵では開錠できないようになる。
【０１７６】
このようにしてシリンダ錠１９１のキーコードが変更される。
【０１７７】
次に、図４９乃至図５２を参照して、シリンダ錠１９１の中で、鍵が挿入される内周シリンダ２０３の内部構造の詳細について説明される。
【０１７８】
図４９は、内周シリンダ２０３の外観を表す図であり、図５０は、図４９の斜線で示される面５５１に沿って内周シリンダ２０３を切断した場合の断面図である。上述したように、ユーザは、鍵（例えば、鍵Ｋ3）を内周シリンダの鍵穴２０３ａに挿入する。このとき、鍵Ｋ3の挿入部４１２は、その尖端が図中左側（シリンダ錠１９１において鍵穴２０３ａが露出する側）から、図中右側（ジョイントカム２１２側）に向かって挿入される。なお、図５０では、完全挿入確認バネ３１１の記載を省略している。
【０１７９】
図５１は、図５０の内周シリンダ２０３の図中右側の端部付近（図中円で囲まれた部分）を拡大した図である。同図に示されるように、内周シリンダ２０３の内側の面（鍵Ｋ3の挿入部４１２と当接する側の面）におけるジョイントカム２１２側の図中上側に位置する端部２０３ｂは、図中右側に向かって下がる傾斜を有している。端部２０３ｂの傾斜は、鍵Ｋ3の挿入部４１２の尖端部の形状に合わせて形成されており、鍵Ｋ3が内周シリンダの鍵穴２０３ａに完全に挿入されたとき、挿入部４１２の尖端部が端部２０３ｂと当接する。
【０１８０】
また、図５１には記載が省略されているが、端部２０３ｂと対面するように、内周シリンダ２０３の内側の面（鍵Ｋ3の挿入部４１２と当接する側の面）におけるジョイントカム２１２側の図中下側に位置する端部２０３cも、鍵Ｋ3の挿入部４１２の尖端部の形状に合わせて、図中右側に向かって上がる傾斜を有している。従って、鍵Ｋ3が内周シリンダの鍵穴２０３ａに完全に挿入されたとき、挿入部４１２の尖端部が、端部２０３ｂと端部２０３ｃに挟まれるようにして止まる。
【０１８１】
図５２は、鍵Ｋ3が完全に挿入されたときのシリンダ錠１９１の断面図である。同図に示されるように、挿入部４１２の尖端部が、端部２０３ｂと端部２０３ｃに挟まれるように当接している。
【０１８２】
内周シリンダ２０３の内部をこのように構成することで、完全に挿入された鍵Ｋ3は、挿入部４１２の尖端部が、端部２０３ｂと端部２０３ｃにより挟まれて止まるので、内周シリンダ２０３の中で、挿入部４１２の図中上下方向の高さが一定に保持される。その結果、開閉プレート２３１−１乃至２３１−８は、それぞれ挿入部４１２の所定の位置決め面と正確に当接し、シリンダ錠１９１の開施錠の動作の安定性を向上させることができる。
【０１８３】
すなわち、内周シリンダ２０３の内側の面に設けられた端部２０３ｂと２０３ｃは、シリンダ錠１９１に挿入された鍵の振れを防止して、鍵の位置を安定させる振れ止め機構として機能する。
【０１８４】
ところで、完全挿入確認バネ３１１、または完全挿入確認ボタン３１２を用いてシリンダ錠１９１に鍵が完全に挿入されたか否かを検知する方法については、図２４乃至図３３を参照して上述したが、シリンダ錠１９１に鍵が完全に挿入されたか否かをさらに別の方法で検知することもできる。図５３は、シリンダ錠１９１に鍵が完全に挿入されたことを検知する完全挿入確認プレート３１３を用いて、シリンダ錠１９１を構成する例を示す図である。
【０１８５】
図５３に示されるように、内周シリンダ２０３の、ジョイントカム２１２と当接する面に近い位置（図中右側）に、完全挿入確認プレート用孔２０３ｄが設けられており、完全挿入確認プレート用孔２０３ｄに完全挿入確認プレート３１３が装着される。
【０１８６】
完全挿入確認プレート用孔２０３ｄは、内周シリンダ２０３のジョイントカム２１２と当接する面に近い位置、すなわち、鍵Ｋ3が完全に挿入されたとき、挿入部４１２の尖端部と当接する端部２０３ｂと端部２０３ｃが位置する部分に、完全挿入確認プレート３１３を、鍵Ｋ3の挿入方向と直交する方向に装着できるように設けられている。完全挿入確認プレート用孔２０３ｄは、同図には示されていないが、内周シリンダ２０３を、図中下方向に向かって貫通している。完全挿入確認プレート３１３は、図中上側の端部３１３ａが、挿入された鍵Ｋ3の挿入部４１２の尖端部と当接し、図中下側の端部３１３ｂが、内周シリンダ２０３を貫通して、外周シリンダ２０１の一部と係合するように装着される。
【０１８７】
完全挿入確認プレート用バネ３１４は、その端部３１４ａが内周シリンダの凹部２０３ｅに嵌合するように装着され、完全挿入確認プレート３１３を図中下方向に付勢する。
【０１８８】
図５４は、完全挿入確認プレート３１３が装着されたシリンダ錠１９１の縦断面図である。同図に示されるように、内周シリンダ２０３の端部２０３ｂにおいて、鍵穴２０３ａの図中奥行方向の後ろ側（裏側）に設けられた完全挿入確認プレート用孔２０３ｄに装着された完全挿入確認プレート３１３の端部３１３ａが、完全挿入確認プレート用バネ３１４により付勢されて図中下方向に向かって鍵穴２０３ａの中に突出している。
【０１８９】
図５５は、図５４のＪ−Ｊ線におけるシリンダ錠１９１の縦断面図である。同図に示されるように、完全挿入確認プレート３１３は、完全挿入確認プレート用孔２０３ｄに沿って、図中上下方向（鍵Ｋ3の挿入方向と直交する方向）に移動可能となるように装着されている。完全挿入確認プレート３１３は、鍵Ｋ3が完全に挿入されていない場合、完全挿入確認プレート用バネ３１４により付勢されて図中下方向の端部３１３ｂが、外周シリンダ２０１に設けられた係合穴２０１ｅに係合し、図中上方向の端部３１３ａ（の一部）が、鍵穴２０３ａの中に突出するように構成されている。この状態では、完全挿入プレート３１３の端部３１３ｂが外周シリンダ２０１の係合穴２０１ｅに係合してロックされているため、内周シリンダ２０３を、外周シリンダ２０１に対して回動させることができない。
【０１９０】
シリンダ錠１９１に鍵Ｋ3が挿入されるとき、挿入部４１２が、図５４の図中左方向から右方向に向かって挿入され、その尖端部を完全挿入確認プレート３１３の端部３１３ａと当接させながら、尖端部が内周シリンダ２０３の端部２０３ｂと２０３ｃに当接するまで、さらに右方向に挿入されていく。その結果、完全挿入確認プレート３１３の端部３１３ａは、挿入部４１２が図５４中右方向に挿入されるのに伴って、図５５（図５４）中上方向に押圧され、完全挿入確認プレート３１３全体が、図５５中上方向に移動する。
【０１９１】
図５６は、鍵Ｋ3が完全に挿入されたシリンダ錠１９１の縦断面図である。鍵Ｋ3の挿入部４１２の尖端部は、図中右側から左側に向かって序々に広がっていく傾斜を有する形状とされているので、最初に完全挿入プレート３１３の端部３１３ａの図中下側に当接した挿入部４１２の尖端部は、図中右方向に挿入されていくとき、その形状（傾斜）に従って、端部３１３ａを序々に図中上方向に押圧していく。そして、同図に示されるように、挿入部４１２の尖端部が内周シリンダ２０３の端部２０３ｂおよび２０３ｃと当接する位置まで、図中右方向に挿入されたことに伴い、完全挿入確認プレート３１３の端部３１３ａは、挿入部４１２の尖端部によって押圧され、鍵穴２０３ａの中に突出しない位置まで、
図中上方向に移動している。
【０１９２】
図５７は、図５６のＫ−Ｋ線におけるシリンダ錠１９１の縦断面図である。同図に示されるように、挿入部４１２の尖端部によって、完全挿入確認プレート３１３の端部３１３ａが押圧され、完全挿入確認プレート３１３全体が、矢印５０１の方向（図中上方向）に移動している。その結果、完全挿入プレート３１３の端部３１３ｂと外周シリンダ２０１の係合穴２０１ｅとの係合（ロック）が解除され、内周シリンダ２０３を回動させることができる。
【０１９３】
シリンダ錠１９１をこのように構成することで、シリンダ錠１９１が不正に開錠されることを抑止し、また、鍵が完全に挿入されたか否かをより正確に検知することにより、キーコードを変更するとき、鍵が完全に挿入されていない状態のままキーコードが変更されて、誤ったキーコードが登録されることを抑止することができる。
【０１９４】
上述したように、鍵が完全に挿入されたか否かは、完全挿入確認プレート３１３が、鍵Ｋ3の挿入部４１２の尖端部の傾斜に従って移動することにより検知される。鍵Ｋ3において挿入部４１２の尖端部の最も尖った部分（図５６中最も右側に位置する部分）は、長い期間鍵Ｋ3を使用していると、摩耗して擦り減ってしまう恐れがある。従って、挿入部４１２の尖端部の最も尖った部分が摩耗するのに伴って、挿入部４１２の長さが短くなり、完全挿入確認バネ３１１または完全挿入確認ボタン３１２を用いても、鍵が完全に挿入されたか否かを正確に検知できなくなる恐れがある。そこで、長い期間鍵Ｋ3を使用しても、比較的摩耗するおそれが少ない挿入部４１２の尖端部の傾斜を利用して鍵が完全に挿入されたことを検知する。このようにすることで、摩耗した鍵が挿入された場合であっても、鍵が完全に挿入されたか否かを正確に検知することができる。
【０１９５】
また、挿入部４１２の尖端部のみを利用して鍵が完全に挿入されたことを検知するようにしたことにより、鍵Ｋ3の挿入部４１２の位置決め面４２１乃至４２８のぞれぞれは全て、開閉プレート２３１−１乃至２３１−８の位置を特定するキーコードとして利用することができ、その結果、シリンダ錠１９１のセキュリティを低下させることなく、鍵が完全に挿入されたか否かを正確に検知することができる。
【０１９６】
ところで、遊技場に設置されているスロット遊技台などの遊技機においては、事前に、いわゆる「当たり」の出る確率などを変更する遊技場の運営上重要な設定を行う必要がある。このような重要な設定の操作を行う場合、当然、遊技場の担当者が、予め許可されたタイミングで、予め許可された設定を行うことが求められる。例えば、不正に、重要な設定の操作が行われた場合、遊技場の顧客がスロット遊技台などで行うゲームの結果が、予め想定していたものと大きく異なったものとなり、その結果、遊技場の営業などに多大な影響が出てしまう。
【０１９７】
そこで、このような重要な設定の操作を行う場合、予め鍵によるシリンダ錠の開錠操作を行い、シリンダ錠が開錠された場合のみ、設定の操作が可能となるようにすることが望ましい。このようにすることで、例えば、正規の鍵を所持しない不正な者により重要な設定の操作が行われることを抑止することができる。また、セキュリティを強化するためにも、重要な設定の操作に伴って開錠されるシリンダ錠は、やはりキーコードの変更が可能となるように構成される必要がある。このようにすることで、例えば、遊技場の担当者が入れ替わっても、また、中古のスロット遊技台などを設置した場合であっても、正規の設定の操作のみ許可するようにすることができる。
【０１９８】
図５８は、スロット遊技台６００の外観を示す斜視図である。同図に示されるようにスロット遊技台６００は、ドラム表示部６０３が設けられた前扉６０２と、本体６０１により構成されている。図５９は、図５８のスロット遊技台６００を正面からみた斜視図であって、スロット遊技台６００の正面の扉が取り外された状態で、スロット遊技台６００の内部の構成が見えるように示されている。
【０１９９】
図５９において、ドラム表示部６０３に表示される数字や模様などを制御するリール６２１の下側に、メダルを保管するホッパー６２２、および電源ユニット６２３が設けられている。
【０２００】
電源ユニット６２３は、スロット遊技台６００を稼動させるために必要な電力を供給する。上述したような重要な設定の操作は、電源ユニット６２３に設けられた設定変更用スイッチを操作して行われるように構成されている。
【０２０１】
図６０は、電源ユニット６２３の構成例を示す斜視図である。同図に示されるように電源ユニット６２３は、本体カバー６３１により覆われており、本体カバー６３１の前面６３１ａに設定変更用スイッチ６３３、および電源スイッチ６３２が設けられている。
【０２０２】
設定変更用スイッチ６３３は、上述した重要な設定の操作を行う場合、操作されるスイッチであり、上述したようにキーコードの変更が可能なシリンダ錠として構成される。重要な設定の操作を行う遊技場の担当者は、最初に設定変更用スイッチ６３３として構成されるシリンダ錠に正規の鍵を挿入して回動させることによりシリンダ錠を開錠する。これによりシリンダ錠が開錠されたことが、例えば電気的信号として電源ユニット６２３に供給され、続いて行われる設定の操作の入力が受け付けられる（設定の操作が許可される）ようになる。換言すれば、シリンダ錠を開錠してからでないと、設定の操作の入力は受け付けられない。なお、設定の操作は、例えば、本体カバー６３１の前面６３１ａに設けられた図示せぬ設定用ボタンなどを押下することなどにより行われる。
【０２０３】
また、電源ユニット６２３の内部はスロット遊技台６００の性能に係る重要な電子機器などが多数配置されている。そのため、通常本体カバー６３１には、内部を確認するための扉などは設けられておらず、設定の操作は全て前面６３１ａ側から行うことになる。すなわち、電源ユニット６２３を分解するなどして内部の電子機器などの設定の操作をすることはできず、当然、設定変更用スイッチ６３３として構成されるシリンダ錠についても、一旦、電源ユニット６２３に取り付けられた後は、全ての操作が前面６３１ａ側（シリンダ錠の鍵穴が露出する側）から行われることを前提とした構成とする必要がある。
【０２０４】
ここで、設定変更用スイッチ６３３として構成されるシリンダ錠に対して行われる操作は、シリンダ錠の開錠、またはキーコードの変更（リセット）が考えられる。従来のシリンダ錠では、リセットを行う場合、通常後方（鍵穴が露出する面と反対側の面）からリセットボタンなどを操作してリセットするように構成されているが、設定変更用スイッチ６３３として構成されるシリンダ錠は、リセットに関する操作を前方（シリンダ錠の鍵穴が露出する側）から行えるようにする必要がある。
【０２０５】
図６１および図６２は、設定変更用スイッチ６３３として構成されるシリンダ錠であって、本発明を適用したシリンダ錠１１９０の外観の例を示している。図６１は、シリンダ錠１１９０の前端部側の外観の斜視図である。図６２は、シリンダ錠１１９０の後端部側の外観の斜視図である。
【０２０６】
シリンダ錠１１９０の、外周シリンダ１２０１の内側には、正規の鍵が挿入された場合に、鍵と共に回動する内周シリンダ１２０３が設けられている。内周シリンダ１２０３が外周シリンダ１２０１の内側に配置された状態において、内周シリンダ１２０３に設けられた、鍵が挿入される鍵穴１２０３ａは、外周シリンダ１２０１から外部に露出する。
【０２０７】
また、外周シリンダ１２０１の後部には、スイッチケース１２０２が設けられており、外周シリンダ１２０１とスイッチケース１２０２は、ビス１２０５−１およびビス１２０５−１の反対側にある１２０５−２により互いに固定されている。スイッチケース１２０２は、シリンダ錠１１９０が開錠されたとき、開錠されたことを表す電気的信号を生成するスイッチ（後述）が内部に取り付けられており、スイッチケース１２０２の後部に設けられたコネクタ１２０２ａが、電源ユニット６２３の所定の部位に接続されて、シリンダ錠１１９０が開錠されたことを表す電気的信号を、電源ユニット６２３に供給する。
【０２０８】
図６３は、シリンダ錠１１９０の構成を示す斜視図である。同図に示されるように、内周シリンダ１２０３は、外周シリンダ１２０１の内側に挿入されるように構成されており、外周シリンダ１２０１の内部で回動可能となるように構成されている。また、内周シリンダ１２０３は、後部（図中鍵穴１２０３ａと反対側）に、ラチェットディスク１２１１の凸部１２１１ａと嵌合する形状の凹部を有しており、自身の回動に伴ってラチェットディスク１２１１を回動させる。
【０２０９】
ラチェットディスク１２１１は、所定の厚みを有する円盤状のものであり、スイッチケース１２０２の内部に挿入されるように構成されており、スイッチケース１２０２の内部で回動可能となるように構成されている。ラチェットディスク１２１１には、中央において、図中上下方向にラチェットディスク１２１１を貫通するバネ穴１２１１ｃが設けられており、バネ穴１２１１ｃにはバネ１２１３が挿入される。また、バネ穴１２１１ｃに挿入されたバネ１２１３の図中上下両端に当接するようにラチェットボール１２１４−１および１２１４−２がそれぞれ配置される。ラチェットボール１２１４−１および１２１４−２は、その直径がバネ穴１２１１ｃの直径とほぼ同じとなるように構成されており、バネ１２１３によりラチェットディスク１２１１の外周に突出するようにそれぞれ付勢される。
【０２１０】
スイッチケース１２０２は、前方の円周状の端部１２０２ｃが内周シリンダ１２０３に当接するとともに、その外側の面が外周シリンダ１２０１の内側の面と当接するように構成されており、内部にスイッチ１２１２が取り付けられるように構成されている。そしてスイッチ１２１２の先端部１２１２ａが、後述するように、ラチェットディスク１２１１の回動に伴ってラチェットディスク１２１１の後部（図中凸部１２１１ａの反対側）の凸部により押圧されるように構成されている。そして先端部１２１２ａが所定の位置まで押圧されたとき、コネクタ１２０２ａから電気信号が出力される。
【０２１１】
また、スイッチケース１２０２の内部には、ラチェットディスク１２１１の回動（回転）位置を制御する制御溝１２０２ｄ−１乃至１２０２ｄ−４が設けられている。スイッチケース１２０２の内部の円周上で、制御溝１２０２ｄ−１の位置を基準として、制御溝１２０２ｄ−２乃至１２０２ｄ−４が、それぞれ９０°，１８０°，２７０°異なる位置に設けられている。制御溝１２０２ｄ−１乃至１２０２ｄ−４は、それぞれラチェットボール１２１４−１または１２１４−２の一部と緩やかに係合するような形状と深さで構成されている。
【０２１２】
例えば、図６３の場合、ラチェットボール１２１４−１および１２１４−２は、それぞれ制御溝１２０２ｄ−１および１２０２ｄ−３と係合する位置にあり、この状態からラチェットディスク１２１１が９０°回転された場合、ラチェットボール１２１４−１および１２１４−２が、それぞれ制御溝１２０２ｄ−２および１２０２ｄ−４と係合することになる。このように、ラチェットボール１２１４−１および１２１４−２が制御溝１２０２ｄ−２および１２０２ｄ−４と係合することにより、ラチェットディスク１２１１が９０°回転される都度、シリンダ錠１１９０を開錠するユーザに、鍵を介してクリック感が伝わるように構成されている。
【０２１３】
また、スイッチケース１２０２の後部内側の面には、凸部１２０２ｂが設けられている。凸部１２０２ｂは、後述するように円形と台形を組み合わせた、いわゆる前方後円墳のような形状とされ、同図においては、凸部１２０２ｂの一部（円形の部分）が示されている。凸部１２０２ｂは、ラチェットディスクのラチェットディスク１２１１の後部（図中凸部１２１１ａの反対側）の凸部の一面と当接することにより、ラチェットディスク１２１１の回動を停止させるように構成されている。
【０２１４】
図６４は、内周シリンダ１２０３の構成を示す斜視図である。内周シリンダ１２０３は、図１６を参照して上述した内周シリンダ２０３と同様の構成とされる。すなわち、開閉プレート１２３１−１乃至１２３１−５のそれぞれは、その内周シリンダ１２０３に対する位置によって、内周シリンダ１２０３の回動を可能にするか、または回動を抑制するように動作する。開閉プレート１２３１−１乃至１２３１−５はそれぞれ、係合穴によってタンブラプレート１２３３−１乃至１２３３−８と係合する。
【０２１５】
開閉プレート用バネ１２３２−１乃至１２３２−５のそれぞれは、一方の端部が開閉プレート１２３１−１乃至１２３１−５に当接し、他方の端部がバネカバー１２３５に当接するように設けられている。そして、開閉プレート１２３１−１乃至１２３１−５を、シリンダ錠１１９０に挿入された鍵の位置決め面に当接するように、付勢する。開閉プレート１２３１−１乃至１２３１−５および開閉プレート用バネ１２３２−１乃至１２３２−５は、それぞれ、内周シリンダ１２０３の開閉プレート用の孔のそれぞれに挿入される。
【０２１６】
バネカバー１２３５の孔１２３５ａおよび１２３５ｂは、それぞれ内周シリンダ１２０３の図中上側の凸部に嵌合され内周シリンダ１２０３に固定される。
【０２１７】
サイドバー１２５１は、サイドバー用バネ１２５２−１および１２５２−２によって、外周シリンダ１２０１の内面に押圧される。サイドバー１２５１は、外周シリンダ１２０１の内側の凹部と噛み合うか、またはその噛み合いが外れることにより、外周シリンダ１２０１に対する内周シリンダ１２０３の回動を規制する。
【０２１８】
なお、サイドバー１２５１は、サイドバー用バネ１２５２−１および１２５２−２により、通常、サイドバー１２５１の凸部１２５１ｂが、外周シリンダ１２０１の内側の凹部と嵌合する方向に付勢され、また、サイドバー用バネ１２５２−３により、サイドバー用バネ１２５２−１および１２５２−２による付勢の方向と直交する方向であって、図中鍵穴１２０３ａの方向に付勢されている。
【０２１９】
完全挿入確認プレート１３１３は、図５３を参照して上述した完全挿入確認プレート３１３と同様に構成される。すなわち、完全挿入確認プレート１３１３は、内周シリンダ１２０３の、ラチェットディスク１２１１と当接する面に近い位置に設けられた、完全挿入確認プレート用孔に装着され、内周シリンダ１２０３の内部において鍵が完全に挿入されたとき、鍵の挿入部の尖端部と当接する部分に、完全挿入確認プレート１３１３が鍵の挿入方向と直交する方向に移動できるように設けられている。なお、完全挿入確認プレート用孔は、同図には示されていないが、内周シリンダ１２０３を、図中下方向に向かって貫通しており、完全挿入確認プレート１３１３は、図中下側の端部１３１３ａが、挿入された鍵の挿入部の尖端部と当接し、図中上側の端部１３１３ｂが、内周シリンダ１２０３を貫通して、外周シリンダ１２０１の一部と係合するように装着される。
【０２２０】
完全挿入確認プレート用バネ１３１４は、完全挿入確認プレート１３１３を図中上方向に付勢し、鍵が完全に挿入されたとき、完全挿入確認プレート１３１３の端部１３１３ｂと外周シリンダ１２０１との係合が解除され、内周シリンダ１２０３が回動可能となるように構成される。
【０２２１】
図６５と図６６は、ラチェットディスク１２１１の構成例を示す図である。図６５は、ラチェットディスク１２１１を、前方からみた斜視図であり、上述したように、内周シリンダ１２０３と嵌合する凸部１２１１ａが設けられている。図６６は、ラチェットディスク１２１１を後方からみた図であり、上述したようにスイッチ１２１２の先端部１２１２ａと当接してスイッチ１２１２ａの先端部を押圧するとともに、スイッチケース１２０２の後部内側の面の凸部１２０２ｂと当接することによりラチェットディスク１２１１の回動を停止させる凸部１２１１ｂが設けられている。
【０２２２】
凸部１２１１ｂは、その一部が傾斜面１３１１として構成され、スイッチ１２１２の先端部１２１２ａは、傾斜面１３１１と当接するように配置される。ラチェットディスク１２１１の回動に伴って先端部１２１２ａと当接する位置が、傾斜面１３１１の図中上方向から図中下方向に移動する。これにより、先端部１２１２ａは、ラチェットディスク１２１１の回動に伴って序々に押圧されていくことになる。
【０２２３】
また、詳細については後述するが、シリンダ錠１１９０の初期状態（後述するスイッチＯＦＦの位置）からラチェットディスク１２１１が右方向（時計回り）に９０°回転された場合（後述するスイッチＯＮの位置）において、凸部１２１１ｂの面１３１２が凸部１２０２ｂと当接し、ラチェットディスク１２１１がそれ以上右方向に回転することが抑止される。一方、シリンダ錠１１９０の初期状態（後述するスイッチＯＦＦの位置）からラチェットディスク１２１１が左方向（反時計回り）に１８０°回転された場合（後述するリセットの位置）において、凸部１２１１ｂの面１３１３が凸部１２０２ｂと当接し、ラチェットディスク１２１１がそれ以上左方向に回転することが抑止される。
【０２２４】
次に、シリンダ錠１１９０を、設定変更用スイッチ６３３として用いる場合の操作について説明する。図６７Ａは、シリンダ錠１１９０を、鍵穴１２０３ａ側から見た図であって、シリンダ錠１１９０の初期状態の例を示す図であり、この例では、内周シリンダ１２０３が、鍵穴１２０３ａの長手方向が図中上下方向に向く状態に位置している。この状態は、シリンダ錠１１９０が施錠されている状態であり、本発明ではこの状態を、（設定変更用スイッチ６３３の）スイッチＯＦＦの状態と称する。
【０２２５】
図６７Ｂは、図６７Ａに示される状態から、内周シリンダ１２０３が右方向（時計回り）に９０°回転した状態を示す図である。この状態は、シリンダ錠１１９０が、いわば開錠されている状態であり、本発明ではこの状態を、（設定変更用スイッチ６３３の）スイッチＯＮの状態と称する。すなわち、シリンダ錠１１９０に正規の鍵が挿入され、右方向に９０°回動されると、上述したようにスイッチ１２１２の先端部１２１２ａが所定の位置まで押圧されてコネクタ１２０２ａから電気信号が出力されることにより、シリンダ錠１１９０が開錠されたことが、電気的信号として電源ユニット６２３に供給され、続いて行われる設定の操作の入力が受け付けられる（設定の操作が許可される）ようになる。なお、図６７Ｂの状態にするためには、正規の鍵を挿入して回動させる必要があるが、説明を分かり易くするため、鍵は図示されていない。
【０２２６】
また、シリンダ錠１１９０が開錠される場合、図３５乃至図３９を参照して上述したように、シリンダ錠１１９０に正規の鍵が挿入されると、開閉プレート１２３１−１乃至１２３１−５が鍵の挿入部の位置決め面に当接して移動されることで、開閉プレート１２３１−１乃至１２３１−５と係合しているタンブラプレート１２３３−１乃至１２３３−５も移動される。その結果、タンブラプレート１２３３−１乃至１２３３−５の凹部の位置がサイドバー１２５１の凸部の位置に一致して、サイドバー１２５１の凸部がタンブラプレートの凹部に挿入されることで外周シリンダ１２０１の凹部とサイドバー１２５１の凸部１２５１ｂとの嵌合が解除され、内周シリンダ１２０３が外周シリンダ１２０１に対して回動する。
【０２２７】
すなわち、シリンダ錠１１９０が開錠される仕組みは、シリンダ錠１９１の場合と同様である。なお、シリンダ錠１９１においては、内周シリンダ２０３がおよそ４５°回動されて開錠される例について説明したが、図６７Ｂの場合、内周シリンダ１２０３が９０°回動されて開錠される。
【０２２８】
図６７Ｃは、図６７Ａに示される状態から、内周シリンダ１２０３が左方向（反時計回り）に１８０°回転した状態を示す図である。この状態は、シリンダ錠１１９０が、リセットされた状態（キーコードの変更が可能となる状態）である。図４１乃至図４６を参照して上述した例においては、シリンダ錠１９１をリセットする場合、リセットボタン２１１を押下した状態で、シリンダ１９１を開錠する場合と同様に鍵を回動させるようにしたが、図６７Ｃの場合、シリンダ錠１１９０を開錠する場合と反対方向に鍵を回動させることによりシリンダ錠１１９０がリセットされる。
【０２２９】
なお、シリンダ錠１１９０がリセットされた状態においては、図４３乃至図４５を参照して上述した場合と同様に、サイドバー１２５１が、サイドバー前後移動用バネ１２５２−３に付勢されて移動し、サイドバー１２５１のタンブラプレート用孔に嵌合しているタンブラプレート１２３３−１乃至１２３３−５もサイドバー１２５１の移動に伴って移動する。そして、タンブラプレート１２３３−１乃至１２３３−５の面が、開閉プレート１２３１−１乃至１２３１−５の面から離れ、係合ピンと、係合穴との係合が解除される。すなわち、シリンダ錠１１９０がリセットされてキーコードが変更される仕組みは、シリンダ錠１９１の場合と同様である。
【０２３０】
次に、スイッチＯＦＦの状態におけるシリンダ錠１１９０の内部の状態について説明する。
【０２３１】
図６８は、スイッチＯＦＦの状態のシリンダ錠１１９０の正面図であり、図６９は、図６８の線Ａ−Ａにおける断面図である。また、図７０は、図６９の図中円で囲まれる部分（スイッチ１２１２付近）の拡大図であり、図７１は、図６９の線Ｂ−Ｂにおけるシリンダ錠１１９０の断面図である。
【０２３２】
図６９乃至図７１に示されるように、スイッチＯＦＦの状態では、ラチェットディスク１２１１の凸部１２１１ｂは、スイッチ１２１２の先端部と当接しない位置にある。
【０２３３】
図７２は、図６９の線Ｘ−Ｘにおけるシリンダ錠１１９０の縦断面図である。同図においては、スイッチケース１２０２、ラチェットディスク、およびスイッチ１２１２が示されており、図中円と台形の形状（いわゆる前方後円墳のような形状）で示されているは、スイッチケース１２０２の内側の凸部１２０２ｂである。同図に示されるように、ラチェットディスク１２１１の凸部１２１１ｂは、スイッチ１２１２とは離れた位置にあり、また、スイッチケースの内側の凸部１２０２ｂとも当接しない位置にある。
【０２３４】
図７３は、図６９の線Ｙ−Ｙにおけるシリンダ錠１１９０の縦断面図である。同図に示されるように、正規の鍵が挿入されていない状態においては、タンブラプレート１２３３−３の凹部１２３３−３ａの位置が、サイドバー１２５１の凸部１２５１ａの位置と一致しておらず（他のタンブラプレートも同様）、サイドバー１２５１の凸部１２５１ｂと外周シリンダ１２０１の凹部１２０１ｄの嵌合が解除されないため、内周シリンダ１２０３を回動させることができない。
【０２３５】
次に、スイッチＯＮの状態におけるシリンダ錠１１９０の内部の状態について説明する。
【０２３６】
図７４は、スイッチＯＮの状態のシリンダ錠１１９０の正面図であり、図７５は、図７４の線Ａ−Ａにおける断面図である。また、図７６は、図７５の図中円で囲まれる部分（スイッチ１２１２付近）の拡大図であり、図７７は、図７５の線Ｂ−Ｂにおけるシリンダ錠１１９０の断面図である。
【０２３７】
図７５と図７７に示されるように、スイッチＯＮの状態では、ラチェットディスク１２１１の凸部１２１１ｂは、スイッチ１２１２の先端部と当接する位置にある。図７６に示されるように、スイッチＯＮの状態では、スイッチ１２１２の先端部１２１２ａが凸部１２１１ｂにより図中右方向に押圧されている。これにより、スイッチケース１２０２のコネクタ１２０２ａから電気信号が出力される。
【０２３８】
図７８は、図７５の線Ｘ−Ｘにおけるシリンダ錠１１９０の縦断面図である。同図においては、スイッチケース１２０２、およびラチェットディスク１２１１が示されており、図中円と台形の形状（いわゆる前方後円墳のような形状）で示されているは、スイッチケース１２０２の内側の凸部１２０２ｂである。いまの場合、ラチェットディスク１２１１の凸部１２１１ｂがスイッチ１２１２の先端部１２１２ａと当接する位置にあるため、凸部１２１１ｂに隠れて、スイッチ１２１２が見えない状態となっている。また、凸部１２１１ｂの図中右側の面がスイッチケースの内側の凸部１２０２ｂの図中左側の面と当接しており、ラチェットディスク１２１１と内周シリンダ１２０３は、これ以上右方向に回転できない。
【０２３９】
図７９は、図７５の線Ｙ−Ｙにおけるシリンダ錠１１９０の縦断面図である。同図に示されるように、正規の鍵が挿入されて開錠された状態においては、タンブラプレート１２３３−３の凹部１２３３−３ａの位置が、サイドバー１２５１の凸部１２５１ａの位置と一致し（他のタンブラプレートも同様）、内周シリンダ１２０３を回動させることができる。なお、図７９においては、説明を簡単にするため鍵は図示されていない。
【０２４０】
次に、リセットの状態におけるシリンダ錠１１９０の内部の状態について説明する。
【０２４１】
図８０は、リセットの状態のシリンダ錠１１９０の正面図であり、図８１は、図８０の線Ａ−Ａにおける断面図である。また、図８２は、図８１の図中円で囲まれる部分（スイッチ１２１２付近）の拡大図であり、図８３は、図８１の線Ｂ−Ｂにおけるシリンダ錠１１９０の断面図である。
【０２４２】
図８３に示されるように、リセットの状態では、内周シリンダ１２０３がスイッチＯＦＦの状態の位置から１８０°回動されたことにより、サイドバー用バネ１２５２−３により図中左方向に付勢されるサイドバー１２５１の先端部１２５１ｄが外周シリンダ１２０１の凹部１２０１ｅと嵌合する位置に移動し、その結果、サイドバー１２５１が図中左方向に移動する。このとき、図４３を参照して上述した場合と同様に、サイドバー１２５１のタンブラプレート用孔に嵌合しているタンブラプレート１２３３−１乃至１２３３−５もサイドバー１２５１の移動に伴って、図中左方向に移動する。そして、タンブラプレート１２３３−１乃至１２３３−５は、開閉プレート１２３１−１乃至１２３１−５から離れ、係合ピンと、係合穴との係合が解除される。この状態で新たな鍵を挿入し、内周シリンダ１２０３を回動させることで、新たなキーコードを設定することができる。
【０２４３】
また、図８１乃至図８３に示されるように、リセットの状態では、ラチェットディスク１２１１の凸部１２１１ｂは、スイッチ１２１２の先端部と当接しない位置にある。
【０２４４】
図８４は、図８１の線Ｘ−Ｘにおけるシリンダ錠１１９０の縦断面図である。同図においては、スイッチケース１２０２、ラチェットディスク１２１１、およびスイッチ１２１２が示されており、図中円と台形の形状（いわゆる前方後円墳のような形状）で示されているのは、スイッチケース１２０２の内側の凸部１２０２ｂである。リセット状態においては、ラチェットディスク１２１１の凸部１２１１ｂは、スイッチ１２１２から離れた位置にあり、凸部１２１１ｂの図中左側の面がスイッチケースの内側の凸部１２０２ｂの図中右側の面と当接しており、ラチェットディスク１２１１と内周シリンダ１２０３は、これ以上左方向に回転できない。
【０２４５】
図８５は、図８１の線Ｙ−Ｙにおけるシリンダ錠１１９０の縦断面図である。同図に示されるように、リセットされた状態においては、タンブラプレート１２３３−３の凹部１２３３−３ａの位置が、サイドバー１２５１の凸部１２５１ａの位置と一致ししている（他のタンブラプレートも同様）。
【０２４６】
図８６乃至図８８を参照してラチェットディスク１２１１の凸部１２１１ｂと、スイッチケースの内側の凸部１２０２ｂの位置についてさらに詳細に説明する。図８６乃至図８８は、ラチェットディスク１２１１と、スイッチケースの内側の凸部１２０２ｂのみを示した図であって、ラチェットディスク１２１１と、スイッチケースの内側の凸部１２０２ｂとをシリンダ錠１１９０の後方（コネクタ１２０２ａ）側から見たものである。また、図８６乃至図８８は、それぞれスイッチＯＦＦの状態、スイッチＯＮの状態、リセットの状態におけるラチェットディスク１２１１と、スイッチケースの内側の凸部１２０２ｂとを示す図である。
【０２４７】
図８６に示されるスイッチＯＦＦの状態においては、ラチェットディスク１２１１の凸部１２１１ｂは、スイッチケースの内側の凸部１２０２ｂと離れた位置にある。この状態から鍵とともに内周シリンダ１２０３が右方向に９０°回動されると、図８７に示されるスイッチＯＮの状態になる。なお、図８６と図８７は、シリンダ錠１１９０の後方側から見た図であるため、図８６の状態からシリンダ錠１１９０の前方において鍵が右方向に回動されると、図８７においてラチェットディスクは図中左方向に回動していることになる。
【０２４８】
図８７においては、ラチェットディスクの凸部１２１１ｂの図中下側の面がスイッチケースの内側の凸部１２０２ｂの図中上側の面と当接することによりラチェットディスク１２１１が、これ以上図中左方向に回動しないように制御される。すなわち、シリンダ錠１１９０に正規の鍵を挿入して回動させるユーザは、右方向に鍵を回動させる場合、９０°以上回動させることができないことになる。
【０２４９】
また、図８６に示されるスイッチＯＦＦの状態から鍵とともに内周シリンダ１２０３が左方向に１８０°回動されると、図８８に示されるリセットの状態になる。なお、図８６と図８８は、シリンダ錠１１９０の後方側から見た図であるため、図８６の状態からシリンダ錠１１９０の前方において鍵が左方向に回動されると、図８８においてラチェットディスクは図中右方向に回動していることになる。
【０２５０】
図８８においては、ラチェットディスクの凸部１２１１ｂの図中上側の面がスイッチケースの内側の凸部１２０２ｂの図中下側の面と当接することによりラチェットディスク１２１１が、これ以上図中右方向に回動しないように制御される。すなわち、シリンダ錠１１９０に正規の鍵を挿入して回動させるユーザは、左方向に鍵を回動させる場合、１８０°以上回動させることができないことになる。
【０２５１】
このように、スイッチケース１２０２の内側に凸部１２０２ｂを設けたことにより、内周シリンダ１２０３およびラチェットディスク１２１１の右方向または左方向への回動幅を所定の位置までの回動幅に設定することが可能となる。いまの場合、内周シリンダ１２０３およびラチェットディスク１２１１の右方向に９０°まで、左方向に１８０°までの回動幅に設定されていることになる。このようにすることで、リセットを行うときに誤ってスイッチＯＮの状態になってしまったり、スイッチＯＮの状態にするときに誤ってリセットされてしまうような操作ミスが抑止されるようにすることができる。
【０２５２】
このように、設定変更用スイッチ６３３として構成されるシリンダ錠１１９０は、シリンダ錠に正規の鍵を挿入して右方向に回動することによりシリンダ錠１１９０が開錠され（スイッチＯＮの状態にされ）、続いて行われる設定の操作の入力が受け付けられる（設定の操作が許可される）ようになる。また、シリンダ錠に正規の鍵を挿入して左方向に回動することによりシリンダ錠１１９０がリセットされ、新たにキーコードを設定することが可能となる。したがって、シリンダ錠１１９０の前方からの鍵の操作だけで、シリンダ錠１１９０を開錠したり、リセットしたりすることができる。
【０２５３】
以上においては、設定変更用スイッチ６３３として構成されるシリンダ錠について、鍵を挿入して、右方向に回動させるとスイッチＯＮの状態になり、左方向に回動させるとリセットの状態になる例について説明したが、鍵を回動させる方向をユーザが正確に記憶することは困難であり、あやまって逆方向に鍵を回動させてしまうこともあり得る。このため、シリンダ錠１１９０をリセット状態にする場合、なんらかの追加的な操作（例えば、ボタンを押下するなど）を要求するようにすることが望ましい。
【０２５４】
図８９および図９０は、リセット状態にする場合、リセットボタンの押下を要求するように構成される場合のシリンダ錠１１９０の外観の例を示す図である。
【０２５５】
図８９は、シリンダ錠１１９０の前端部側の外観の斜視図である。図９０は、シリンダ錠１１９０の後端部側の外観の斜視図である。図８９および図９０は、それぞれ図６１および図６２に対応しており、同一の符号が付されている各部の構成は、図６１および図６２の場合と同等であり詳細な説明は省略する。この例では、図８９において、図６１の場合と異なり、鍵穴１２０３ａの図中右上側に、リセットボタン用穴１２０１ａが設けられている。リセットボタン用穴１２０２ａには、後述するリセットボタンが取り付けられ、ユーザは、シリンダ錠１１９０の前方からリセットボタンを押下する。
【０２５６】
図９１は、図８９または図９０のシリンダ錠１１９０の構成を示す斜視図である。同図は、図６３に対応しており、同一の符号が付されている各部の構成は、図６３の場合と同等であり詳細な説明は省略する。この例では、図６３の場合と異なり、リセットボタン用穴１２０２ａを貫通するように、リセットボタン１２４１とリセットピン１２４２が取り付けられている。さらに、内周シリンダ１２０３の前方に、弧状のリセットピン収容溝１２０３ｇが設けられている。
【０２５７】
図９２は、図９１の内周シリンダ１２０３の構成を示す斜視図である。同図は、図６４に対応しており、同一の符号が付されている各部の構成は、図６４の場合と同等であり詳細な説明は省略する。この例では、内周シリンダ１２０３の前方のリセットピン収容溝１２０３ｇにリセット奥ピン１２４３と、リセット奥ピンバネ１２４４が収容されるように構成されている。リセット奥ピン１２４３は、後方においてリセット奥ピンバネ１２４４と当接してリセット奥ピンバネ１２４４により前方に付勢され、前方においてリセットピン１２４２と当接する。
【０２５８】
リセットピン収容溝１２０３ｇは、図中上下方向の幅がリセット奥ピン１２４３およびリセットピン１２４２の直径とほぼ等しい大きさとされ、リセット奥ピン１２４３と、リセットピン１２４２の一部を収容した状態で、内周シリンダ１２０３が右方向または左方向に所定の位置まで回動可能となるように構成されている。また、リセットピン収容溝１２０３ｇの図中右側の端部１２０３ｈは、リセットピン収容溝１２０３ｇの深さより深い円形の穴であって、リセット奥ピン１２４３およびリセットピン１２４２の直径とほぼ等しい直径の穴となるように構成されている。
【０２５９】
次に、図８９乃至図９０を参照して上述したシリンダ錠１１９０を、設定変更用スイッチ６３３として用いる場合の操作について説明する。図９３Ａは、シリンダ錠１１９０を、鍵穴１２０３ａ側から見た図であって、シリンダ錠１１９０の初期状態の例を示す図であり、この例では、内周シリンダ１２０３が、鍵穴１２０３ａの長手方向が図中上下方向に向く状態に位置している。この状態は、シリンダ錠１１９０が施錠されている状態であり、（設定変更用スイッチ６３３の）スイッチＯＦＦの状態とされる。
【０２６０】
図９３Ｂは、図９３Ａに示される状態から、内周シリンダ１２０３が右方向（時計回り）に９０°回転した状態を示す図である。この状態は、シリンダ錠１１９０が、いわば開錠されている状態であり、（設定変更用スイッチ６３３の）スイッチＯＮの状態とされる。なお、図９３Ｂの状態にするためには、正規の鍵を挿入して回動させる必要があるが、説明を分かり易くするため、鍵は図示されていない。
【０２６１】
図９３Ｃは、図９３Ａに示される状態から、内周シリンダ１２０３が左方向（反時計回り）に１８０°回転した状態を示す図である。この状態は、シリンダ錠１１９０が、リセットされた状態（キーコードの変更が可能となる状態）である。図９３Ａに示される状態から、内周シリンダ１２０３を左方向に回動させる場合、予め（図９３Ａに示される状態で）リセットボタン１２４１を押し込む操作が必要となる。
【０２６２】
すなわち、図８９乃至図９０を参照して上述したシリンダ錠１１９０を、設定変更用スイッチ６３３として用いる場合の操作については、図６７Ａ乃至図６７Ｃを参照して上述した場合とほぼ同様であるが、図６７Ｃの場合と異なり、リセットする場合のみ、リセットボタン１２４１を押し込む操作が要求される。
【０２６３】
次に、スイッチＯＦＦの状態におけるシリンダ錠１１９０の内部の状態について説明する。
【０２６４】
図９４は、スイッチＯＦＦの状態のシリンダ錠１１９０の正面図であり、図９５は、図９４の線Ａ−Ａにおける断面図である。また、図９６は、図９５の図中円で囲まれる部分（スイッチ１２１２付近）の拡大図であり、図９７は、図９５の線Ｂ−Ｂにおけるシリンダ錠１１９０の断面図である。図９４乃至図９７は、それぞれ図６８乃至図７１に対応しており、対応する各部には同一の符号が付されている。
【０２６５】
図９６乃至図９７に示されるように、スイッチＯＦＦの状態では、ラチェットディスク１２１１の凸部１２１１ｂは、スイッチ１２１２の先端部と当接しない位置にある。
【０２６６】
図９８は、図９４の線Ｃ−Ｃにおけるシリンダ錠１１９０の断面図であって、リセットボタン１２４１付近を拡大した断面図である。同図に示されるようにリセットボタン１２４１は、外周シリンダ１２０１から外部に突出している状態であり、リセットピン１２４２は、その一部が内周シリンダ１２０３のリセットピン収容溝１２０３ｇに収容され、他の部分は外周シリンダ１２０１（リセットボタン用穴１２０１ａ）に係合している状態であり、リセット奥ピン１２４３は、内周シリンダ１２０３のリセットピン収容溝１２０３ｇに収容されている状態とされる。
【０２６７】
図９９は、図９５の線Ｘ−Ｘにおけるシリンダ錠１１９０の縦断面図であり、図１００は、図９５の線Ｙ−Ｙにおけるシリンダ錠１１９０の縦断面図である。図９９および図１００は、図７２および図７３に対応する図であり、詳細な説明は省略するが、ラチェットディスク１２１１の凸部１２１１ｂは、スイッチ１２１２とは離れた位置にあり、スイッチケースの内側の凸部１２０２ｂとも当接しない位置にある。また、正規の鍵が挿入されていない状態においては、タンブラプレート１２３３−３の凹部１２３３−３ａの位置が、サイドバー１２５１の凸部１２５１ａの位置と一致しておらず（他のタンブラプレートも同様）、サイドバー１２５１の凸部１２５１ｂと外周シリンダ１２０１の凹部１２０１ｄの嵌合が解除されないため、内周シリンダ１２０３を回動させることができない。
【０２６８】
図１０１は、図９５の線Ｚ−Ｚにおけるシリンダ錠１１９０の縦断面図である。同図に示されるように、リセットピン１２４２は、内周シリンダ１２０３のリセットピン収容溝１２０３ｇの図中右側の端部１２０３ｈとほぼ同じ位置にある。詳細については後述するがこの状態においては、リセットピン１２４２の一部が内周シリンダ１２０３のリセットピン収容溝１２０３ｇに収容され、他の部分は外周シリンダ１２０１のリセットボタン用穴１２０１ａに係合しているため、内周シリンダ１２０３をこれ以上左に回動させることができない。
【０２６９】
次に、スイッチＯＮの状態におけるシリンダ錠１１９０の内部の状態について説明する。
【０２７０】
図１０２は、スイッチＯＮの状態のシリンダ錠１１９０の正面図であり、図１０３は、図１０２の線Ａ−Ａにおける断面図である。また、図１０４は、図１０３の図中円で囲まれる部分（スイッチ１２１２付近）の拡大図であり、図１０５は、図１０３の線Ｂ−Ｂにおけるシリンダ錠１１９０の断面図である。図１０２乃至図１０５は、それぞれ図７４乃至図７７に対応しており、対応する各部には同一の符号が付されている。
【０２７１】
図１０３と図１０５に示されるように、スイッチＯＮの状態では、ラチェットディスク１２１１の凸部１２１１ｂは、スイッチ１２１２の先端部と当接する位置にある。図１０４に示されるように、スイッチＯＮの状態では、スイッチ１２１２の先端部１２１２ａが凸部１２１１ｂにより図中右方向に押圧されている。これにより、スイッチケース１２０２のコネクタ１２０２ａから電気信号が出力される。
【０２７２】
図１０６は、図１０２の線Ｃ−Ｃにおけるシリンダ錠１１９０の断面図であって、リセットボタン１２４１付近を拡大した断面図である。同図に示されるようにリセットボタン１２４１は、外周シリンダ１２０１から外部に突出している状態であり、リセットピン１２４２は、その一部が内周シリンダ１２０３のリセットピン収容溝１２０３ｇに収容され、他の部分は外周シリンダ１２０１（リセットボタン用穴１２０１ａ）に係合している状態である。また、この状態においてリセット奥ピン１２４３は、見えない位置にある。
【０２７３】
図１０７は、図１０３の線Ｘ−Ｘにおけるシリンダ錠１１９０の縦断面図であり、図１０８は、図１０３の線Ｙ−Ｙにおけるシリンダ錠１１９０の縦断面図である。図１０７および図１０８は、図７８および図７９に対応する図であり、詳細な説明は省略するが、ラチェットディスク１２１１の凸部１２１１ｂがスイッチ１２１２の先端部１２１２ａと当接する位置にあり、また、凸部１２１１ｂの図中右側の面がスイッチケースの内側の凸部１２０２ｂの図中左側の面と当接しており、ラチェットディスク１２１１と内周シリンダ１２０３は、これ以上右方向に回転できない。さらに、タンブラプレート１２３３−３の凹部１２３３−３ａの位置が、サイドバー１２５１の凸部１２５１ａの位置と一致し（他のタンブラプレートも同様）、内周シリンダ１２０３を回動させることができる状態とされている。なお、図１０８においては、説明を簡単にするため鍵は図示されていない。
【０２７４】
図１０９は、図１０３の線Ｚ−Ｚにおけるシリンダ錠１１９０の縦断面図である。同図に示されるように、リセットピン１２４２は、その一部が外周シリンダ１２０１のリセットボタン用穴１２０１ａに係合しているため、内周シリンダ１２０３の回転とともに移動されず、図１０１の場合と同じ位置にとどまっている。一方、リセット奥ピン１２４３は、内周シリンダ１２０３のリセットピン収容溝１２０３ｇの端部１２０３ｈに係合して、内周シリンダ１２０３の回転とともに移動されている。
【０２７５】
このように、リセットボタン１２４１が押下されていない状態では、内周シリンダ１２０３を左方向に回動させることはできないが、右方向には回動させることができる。
【０２７６】
次に、リセットの状態におけるシリンダ錠１１９０の内部の状態について説明する。
【０２７７】
図１１０は、リセットの状態のシリンダ錠１１９０の正面図であり、図１１１は、図１１０の線Ａ−Ａにおける断面図である。また、図１１２は、図１１１の図中円で囲まれる部分（スイッチ１２１２付近）の拡大図であり、図１１３は、図１１１の線Ｂ−Ｂにおけるシリンダ錠１１９０の断面図である。図１１０乃至図１１３は、それぞれ図８０乃至図８３に対応しており、対応する各部には同一の符号が付されている。
【０２７８】
図１１３に示されるように、リセットの状態では、内周シリンダ１２０３がスイッチＯＦＦの状態の位置から１８０°回動されたことにより、サイドバー用バネ１２５２−３により図中左方向に付勢されるサイドバー１２５１の先端部１２５１ｄが外周シリンダ１２０１の凹部１２０１ｅと嵌合する位置に移動し、その結果、サイドバー１２５１が図中左方向に移動し、サイドバー１２５１のタンブラプレート用孔に嵌合しているタンブラプレート１２３３−１乃至１２３３−５もサイドバー１２５１の移動に伴って、図中左方向に移動する。そして、タンブラプレート１２３３−１乃至１２３３−５は、開閉プレート１２３１−１乃至１２３１−５から離れ、係合ピンと、係合穴との係合が解除される。この状態で新たな鍵を挿入し、内周シリンダ１２０３を回動させることで、新たなキーコードを設定することができる。
【０２７９】
また、図１１１乃至図１１３に示されるように、リセットの状態では、ラチェットディスク１２１１の凸部１２１１ｂは、スイッチ１２１２の先端部と当接しない位置にある。
【０２８０】
図１１４は、図１１０の線Ｃ−Ｃにおけるシリンダ錠１１９０の断面図であって、リセットボタン１２４１付近を拡大した断面図である。同図に示されるようにリセットボタン１２４１は、外周シリンダ１２０１の内部に収容されている状態であり、この状態においてリセットピン１２４２およびリセット奥ピン１２４３は、見えない位置にある。
【０２８１】
図１１５は、図１１１の線Ｘ−Ｘにおけるシリンダ錠１１９０の縦断面図であり、図１１６は、図１１１の線Ｙ−Ｙにおけるシリンダ錠１１９０の縦断面図である。図１１５および図１１６は、それぞれ図８４および図８５に対応する図であり、詳細な説明は省略するが、リセット状態においては、ラチェットディスク１２１１の凸部１２１１ｂは、スイッチ１２１２から離れた位置にあり、凸部１２１１ｂの図中左側の面がスイッチケースの内側の凸部１２０２ｂの図中右側の面と当接しており、ラチェットディスク１２１１と内周シリンダ１２０３は、これ以上左方向に回転できない。また、リセットされた状態においては、タンブラプレート１２３３−３の凹部１２３３−３ａの位置が、サイドバー１２５１の凸部１２５１ａの位置と一致ししている（他のタンブラプレートも同様）。
【０２８２】
図１１７は、図１１１の線Ｚ−Ｚにおけるシリンダ錠１１９０の縦断面図である。同図に示されるように、リセットピン１２４２は、リセット奥ピン１２４３とともに、内周シリンダ１２０３のリセットピン収容溝１２０３ｇの端部１２０３ｈに係合して、内周シリンダ１２０３の回転とともに移動されている。
【０２８３】
このように、リセットボタン１２４１が押下された状態では、内周シリンダ１２０３を左方向に回動させることができる。
【０２８４】
なお、ラチェットディスク１２１１の凸部１２１１ｂと、スイッチケースの内側の凸部１２０２ｂの位置に関しては、図８６乃至図８８を参照して上述した場合と同様なので、詳細な説明は省略する。
【０２８５】
リセット時の動作についてさらに詳細に説明する。図１１８は、図８９または図９０のシリンダ錠１１９０の正面図であり、図１１９は、図１１８の線Ｄ−Ｄにおけるシリンダ錠１１９０の断面図であり、図１２０は、図１１９の図中円で囲まれた部分（リセットボタン１２４１付近）の拡大図である。図１１８乃至図１２０においては、リセットボタン１２４１は押下されていない状態とされる。
【０２８６】
図１２０に示されるように、リセットボタン１２４１が押下されていない場合、リセットピン１２４２の図中上側の部分は、内周シリンダ１２０３のリセットピン収容溝１２０３ｇに収容されており、リセットピン１２４２の図中下側の部分（リセットピン１２４２の略半分）は外周シリンダ１２０１（リセットボタン用穴１２０１ａ）に係合している状態である。このため、図中の矢印１５０１で示される方向であって、内周シリンダ１２０３を左方向に回動させようとした場合、リセットピン１２４２の図中右側の面が内周シリンダ１２０３と当接しており、リセットピン１２４２が矢印１５０１の方向に付勢されるが、リセットピン１２４２の図中左側の面が外周シリンダ１２０１と当接しているため、結果として内周シリンダ１２０３を左方向に回動させることができないことになる。
【０２８７】
図１２１は、図８９のシリンダ錠１１９０に、鍵K６が挿入された状態のシリンダ錠１１９０の外観を示す斜視図である。同図に示されるように、ユーザは、鍵K6が挿入された状態で、シリンダ錠１１９０の前面からリセットボタン１２４１を押下することが可能である。
【０２８８】
図１２２は、図１２１のシリンダ錠１１９０の正面図であり、図１２３は、図１２２の線Ｄ−Ｄにおけるシリンダ錠１１９０の断面図であり、図１２４は、図１２３の図中円で囲まれた部分（リセットボタン１２４１付近）の拡大図である。図１２２乃至図１２４においては、リセットボタン１２４１は押下されている状態とされる。
【０２８９】
図１２４に示されるように、リセットボタン１２４１が押下されている場合、リセットピン１２４２は図中上側に移動されて、リセット奥ピン１２４３と当接するリセット奥ピンバネ１２４４が収縮し、リセット奥ピン１２４３は、リセットピン収容溝１２０３ｇの端部１２０３ｈに押し込まれた状態となる。これにより、リセットピン１２４２の図中下端の面の位置が外周シリンダ１２０１と内周シリンダ１２０３との境界の位置とほぼ同じ位置になるまでリセットピン１２４２が図中上方向に移動する。すなわち、リセットボタン１２４１が押下されたことにより、リセットピン１２４２は、外周シリンダ１２０１から退出し、リセットピン１２４２と外周シリンダ１２０１（リセットボタン用穴１２０１ａ）との係合は解除される。
【０２９０】
この状態であれば、リセットピン１２４２と外周シリンダ１２０１（リセットボタン用穴１２０１ａ）との係合は解除されているので、図中の矢印１５０１で示される方向であって、内周シリンダ１２０３を左方向に回動させることが可能となる。
【０２９１】
このように、リセットボタン１２４１乃至リセット奥ピンバネ１２４４により、内周シリンダ１２０３の左方向への回動が規制され、シリンダ錠１１９０において誤ってリセットが行われることが抑止される。
【０２９２】
次に、リセットボタン１２４１を押下せず、内周シリンダ１２０３を右方向に回動させる場合（図９３ＢのスイッチＯＮの状態にする場合）のリセットボタン１２４１乃至リセット奥ピンバネ１２４４の動きについて説明する。図１２５Ａ乃至図１３２Ａは、シリンダ錠１１９０の正面図であって、内周シリンダ１２０３が右方向へ序々に回動されていく場合のシリンダ錠１１９０の正面図である。すなわち、スイッチＯＦＦの状態である図１２５Ａの状態からやや右方向に内周シリンダ１２０３が回動された状態のシリンダ錠１１９０の正面図が図１２６Ａとなる。図１２６Ａでは、鍵穴１２０３ａが右方向にやや傾いた状態で示されており、図１２５Ａのときより内周シリンダ１２０３が右方向に回動させられている。
【０２９３】
同様に、図１２６Ａの状態からやや右方向に内周シリンダ１２０３が回動された状態は、図１２７Ａで示されており、内周シリンダ１２０３がさらに右方向に回動させられた状態は、図１２８Ａ、図１２９Ａ、・・・図１３２Ａとされている。図１３２Ａにおいては、図１２５Ａから内周シリンダ１２０３が右方向に９０°回動されており、上述したスイッチＯＮの状態とされる。
【０２９４】
なお、内周シリンダ１２０３を回動させる場合、鍵を挿入する必要があるが、図１２５Ａ乃至図１３２Ａにおいては、説明を簡単にするため鍵は図示されていない。
【０２９５】
図１２５Ｂ乃至図１３２Ｂは、それぞれ図１２５Ａ乃至図１３２Ａの線Ｄ−Ｄにおける断面図であって、リセットボタン１２４１付近を拡大した図である。
【０２９６】
図１２５Ｂにおいては、リセットボタン１２４１乃至リセット奥ピンバネ１２４４が一直線に並べられた状態とされている。すなわち、同図に示されるようにリセットボタン１２４１は、外周シリンダ１２０１（リセットボタン用穴１２０１ａ）に挿入されて図中下側の部分が外周シリンダ１２０１から外部に露出しており、リセットピン１２４２は、図中下側の部分が外周シリンダ１２０１（リセットボタン用穴１２０１ａ）と係合しており、図中上側の部分が内周シリンダ１２０３のリセットピン収容溝１２０３ｇに収容されている。リセット奥ピン１２４３とリセット奥ピンバネ１２４４は、リセットピン収容溝１２０３ｇの端部１２０３ｈに収容されている。このとき、リセットピン１２４２の図中上側の面と、リセットピン収容溝１２０３ｇの図中下側の面がほぼ同じ位置となる。
【０２９７】
なお、図１２５Ｂに示される（スイッチＯＦＦのときの）リセットボタン１２４１乃至リセット奥ピンバネ１２４４の状態は、図１０１を参照して上述した状態に対応している。
【０２９８】
図１２６Ｂにおいては、内周シリンダ１２０３が右方向に回動されたことにより、リセットボタン１２４１乃至リセット奥ピンバネ１２４４は、一直線に並べられた状態とはならない。すなわち、同図に示されるようにリセットボタン１２４１およびリセットピン１２４２は、外周シリンダ１２０１（リセットボタン用穴１２０１ａ）と係合しているため移動していないが、リセット奥ピン１２４３およびリセット奥ピンバネ１２４４は、リセットピン収容溝１２０３ｇの端部１２０３ｈとともに移動している。
【０２９９】
図１２７Ｂでは、図１２６Ｂに示される状態からリセット奥ピン１２４３およびリセット奥ピンバネ１２４４がさらに移動している。いまの場合、内周シリンダ１２０３が右方向に回動されていくと、図中右斜め下方向にリセット奥ピン１２４３およびリセット奥ピンバネ１２４４が移動していくことになる。このように内周シリンダ１２０３が右方向に回動されていくにつれて、図１２８Ｂに示されるように、リセット奥ピン１２４３およびリセット奥ピンバネ１２４４がほぼ見えない位置まで移動し、図１２９Ｂおよび図１３０Ｂにおいては、リセット奥ピン１２４３およびリセット奥ピンバネ１２４４は見えない状態とされている。
【０３００】
内周シリンダ１２０３がさらに右方向に回動されると、図１３１Ｂに示されるように、リセットピン収容溝１２０３ｇの左側の端部がリセットピン１２４２に近づいてくる。そして、内周シリンダ１２０３が右方向に９０°回転されたとき、図１３２Ｂに示されるように、リセットピン１２４２と、リセットピン収容溝１２０３ｇの左側の端部とが当接する位置となり、内周シリンダ１２０３は、これ以上右方向に回動しない。
【０３０１】
なお、図１３２Ｂに示される（スイッチＯＮのときの）リセットボタン１２４１乃至リセット奥ピンバネ１２４４の状態は、図１０９を参照して上述した状態に対応している。
【０３０２】
このように、内周シリンダ１２０３が右方向に回動される。
【０３０３】
次に、リセットボタン１２４１を押下して、内周シリンダ１２０３を左方向に回動させる場合（図９３Ｃのリセットの状態にする場合）のリセットボタン１２４１乃至リセット奥ピンバネ１２４４の動きについて説明する。図１３３Ａ乃至図１３７Ａは、シリンダ錠１１９０の正面図であって、内周シリンダ１２０３が左方向へ序々に回動されていく場合のシリンダ錠１１９０の正面図である。すなわち、スイッチＯＦＦの状態である図１３３Ａおよび図１３４Ａの状態からやや左方向に内周シリンダ１２０３が回動された状態のシリンダ錠１１９０の正面図が図１３５Ａとなる。図１３５Ａでは、鍵穴１２０３ａが左方向にやや傾いた状態で示されており、図１３５Ａのときより内周シリンダ１２０３が左方向に回動させられている。
【０３０４】
同様に、図１３５Ａの状態からやや左方向に内周シリンダ１２０３が回動された状態は、図１３６Ａで示されており、内周シリンダ１２０３がさらに左方向に回動させられた状態は、図１３７Ａとされている。
【０３０５】
なお、内周シリンダ１２０３を回動させる場合、鍵を挿入する必要があるが、図１３３Ａ乃至図１３７Ａにおいては、説明を簡単にするため鍵は図示されていない。
【０３０６】
図１３３Ｂ乃至図１３７Ｂは、それぞれ図１３３Ａ乃至図１３７Ａの線Ｄ−Ｄにおける断面図であって、リセットボタン１２４１付近を拡大した図である。
【０３０７】
図１３３Ｂにおいては、リセットボタン１２４１乃至リセット奥ピンバネ１２４４が一直線に並べられた状態とされている。すなわち、同図に示されるようにリセットボタン１２４１は、外周シリンダ１２０１（リセットボタン用穴１２０１ａ）に挿入されて図中下側の部分が外周シリンダ１２０１から外部に露出しており、リセットピン１２４２は、図中下側の部分が外周シリンダ１２０１（リセットボタン用穴１２０１ａ）と係合しており、図中上側の部分が内周シリンダ１２０３のリセットピン収容溝１２０３ｇに収容されている。リセット奥ピン１２４３とリセット奥ピンバネ１２４４は、リセットピン収容溝１２０３ｇの端部１２０３ｈに収容されている。このとき、リセットピン１２４２の図中上側の面と、リセットピン収容溝１２０３ｇの図中下側の面がほぼ同じ位置となる。この状態でリセットボタン１２４１が押下されると、図１３４Ｂに示されるようになる。
【０３０８】
図１３４Ｂにおいては、リセットボタン１２４１が押下され、リセットピン１２４２は図中上側（正確には図中右斜め上側）に移動されて、リセット奥ピン１２４３と当接するリセット奥ピンバネ１２４４が収縮し、リセット奥ピン１２４３は、リセットピン収容溝１２０３ｇの端部１２０３ｈに押し込まれた状態となる。これにより、リセットピン１２４２の図中下端の面の位置が外周シリンダ１２０１と内周シリンダ１２０３との境界の位置とほぼ同じ位置になるまでリセットピン１２４２が図中上方向に移動する。すなわち、リセットボタン１２４１が押下されたことにより、リセットピン１２４２は、外周シリンダ１２０１から退出し、リセットピン１２４２と外周シリンダ１２０１（リセットボタン用穴１２０１ａ）との係合は解除される。
【０３０９】
図１３５Ｂにおいては、内周シリンダ１２０３が左方向に回動されたことにより、リセットボタン１２４１乃至リセット奥ピンバネ１２４４は、一直線に並べられた状態とはならない。すなわち、同図に示されるようにリセットボタン１２４１は、外周シリンダ１２０１（リセットボタン用穴１２０１ａ）と係合しているため移動していないが、リセットピン１２４２乃至リセット奥ピンバネ１２４４は、リセットピン収容溝１２０３ｇの端部１２０３ｈとともに移動している。
【０３１０】
図１３６Ｂでは、図１３５Ｂに示される状態からリセットピン１２４２乃至リセット奥ピンバネ１２４４がさらに移動している。いまの場合、内周シリンダ１２０３が左方向に回動されていくと、図中左斜め上方向にリセットピン１２４２乃至リセット奥ピンバネ１２４４が移動していくことになる。このように内周シリンダ１２０３が左方向に回動されていくにつれて、図１３７Ｂに示されるように、リセットピン１２４２乃至リセット奥ピンバネ１２４４が見えない位置まで移動している。
【０３１１】
このように、本発明のシリンダ錠１１９０においては、リセットボタン１２４１を押下することにより、内周シリンダ１２０３の左方向への回動が許可されることになる。
【０３１２】
以上のように、本発明のシリンダ錠によれば、リセット状態にする場合、リセットボタンの押下を要求するようにすることができる。その結果、例えば、ユーザが鍵を回動させる方向を間違った場合であっても、誤ってキーコードがリセットされてしまうことが抑止される。
【図面の簡単な説明】
【０３１３】
【図１】従来のシリンダ錠の縦断面図である。
【図２】正規の鍵が挿入されている従来のシリンダ錠に縦断面図である。
【図３】リセット状態への移行を説明する、従来のシリンダ錠の縦断面図である。
【図４】リセット状態への移行を説明する、従来のシリンダ錠の縦断面図である。
【図５】リセット状態への移行を説明する、従来のシリンダ錠の縦断面図である。
【図６】リセット状態の従来のシリンダ錠の縦断面図である。
【図７】キーコードの変更を説明する、従来のシリンダ錠の縦断面図である。
【図８】キーコードの変更を説明する、従来のシリンダ錠の縦断面図である。
【図９】キーコードの変更を説明する、従来のシリンダ錠の縦断面図である。
【図１０】キーコードが変更された従来のシリンダ錠の縦断面図である。
【図１１】従来のシリンダ錠の縦断面図である。
【図１２】本発明のシリンダ錠の一実施形態に係る前端部側の外観斜視図である。
【図１３】図１２のシリンダ錠の後端部側の外観斜視図である。
【図１４】図１２のシリンダ錠を正面からみた図である。
【図１５】図１２のシリンダ錠を側面からみた図である。
【図１６】図１２のシリンダ錠の構成を示す斜視図である。
【図１７】図１２のシリンダ錠の鍵が挿入される方向における縦断面図である。
【図１８】図１７のＡ−Ａ線におけるシリンダ錠の縦断面図である。
【図１９】開閉プレートとタンブラプレートの関係を示す斜視図である。
【図２０】開閉プレートとタンブラプレートの関係を示す斜視図である。
【図２１】開閉プレート、タンブラプレート、およびサイドバーの関係を示す斜視図である。
【図２２】正規の鍵の外観の例を示す斜視図である。
【図２３】鍵が完全に挿入されたシリンダ錠の縦断面図である。
【図２４】完全挿入確認バネの取り付け位置を説明する図である。
【図２５】完全挿入確認バネが装着されたシリンダ錠の断面図である。
【図２６】図２５の完全挿入確認バネの拡大図である。
【図２７】鍵が完全に挿入されたシリンダ錠の縦断面図である。
【図２８】図２８の完全挿入確認バネの拡大図である。
【図２９】完全挿入確認ボタンを説明する図である
【図３０】完全挿入確認ボタンが装着されたシリンダ錠の断面図である。
【図３１】図３０の完全挿入確認ボタンの拡大図である。
【図３２】鍵が完全に挿入されたシリンダ錠の断面図である。
【図３３】図３２の完全挿入確認ボタンの拡大図である。
【図３４】図２３のＣ−Ｃ線、Ｄ−Ｄ線、およびＥ−Ｅ線におけるシリンダ錠の縦断面図である。
【図３５】鍵が挿入される前のシリンダ錠の縦断面図である。
【図３６】図３５の状態における開閉プレート、タンブラプレート、およびサイドバーの位置の関係を示す図である。
【図３７】鍵が挿入されたシリンダ錠の縦断面図である。
【図３８】鍵を回動するときのシリンダ錠の縦断面図である。
【図３９】図３８の状態における開閉プレート、タンブラプレート、およびサイドバーの位置の関係を示す図である。
【図４０】正規の鍵が挿入されていないシリンダ錠の縦断面図である。
【図４１】リセットボタンを説明する図である。
【図４２】リセットボタンが押下されたときのシリンダ錠の断面図である。
【図４３】図４２の状態から鍵を回動させたときのシリンダ錠の断面図である。
【図４４】リセットさせる前の開閉プレート、タンブラプレート、およびサイドバーの位置の関係を示す図である。
【図４５】リセットされるときの開閉プレート、タンブラプレート、およびサイドバーの位置の関係を示す図である。
【図４６】リセットが完了したシリンダ錠の断面図である。
【図４７】キーコードの変更するときのシリンダ錠の断面図である。
【図４８】キーコードの変更が完了したシリンダ錠の断面図である。
【図４９】内周シリンダの外観を示す図である。
【図５０】図４９の内周シリンダの断面図である。
【図５１】図５０の内周シリンダの端部の拡大図である。
【図５２】鍵が完全に挿入されたシリンダ錠の断面図である。
【図５３】完全挿入確認プレートの取り付け位置を説明する図である。
【図５４】完全挿入確認プレートが装着されたシリンダ錠の断面図である。
【図５５】図５４のＪ−Ｊ線におけるシリンダ錠の断面図である。
【図５６】鍵が完全に挿入されたシリンダ錠の断面図である。
【図５７】図５６のＫ−Ｋ線におけるシリンダ錠の断面図である。
【図５８】スロット遊技台の外観を示す斜視図である。
【図５９】図５９のスロット遊技台を正面からみた斜視図である。
【図６０】電源ユニットの構成例を示す斜視図である。
【図６１】本発明のシリンダ錠の別の構成例を示す斜視図である。
【図６２】図６１のシリンダ錠を別の角度からみた斜視図である。
【図６３】図６１のシリンダ錠の構成を示す斜視図である。
【図６４】図６３の内周シリンダの構成を示す斜視図である。
【図６５】ラチェットディスク１２１１の構成例を示す図である。
【図６６】ラチェットディスク１２１１の構成例を示す図である。
【図６７】スイッチＯＦＦの状態、スイッチＯＮの状態、リセットの状態を説明する図である。
【図６８】スイッチＯＦＦの状態におけるシリンダ錠の正面図である。
【図６９】図６８の線Ａ−Ａにおけるシリンダ錠の断面図である。
【図７０】図６９のスイッチ付近の拡大図である。
【図７１】図６９の線Ｂ−Ｂにおけるシリンダ錠の断面図である。
【図７２】図６９の線Ｘ−Ｘにおけるシリンダ錠の縦断面図である。
【図７３】図６９の線Ｙ−Ｙにおけるシリンダ錠の縦断面図である。
【図７４】スイッチＯＮの状態におけるシリンダ錠の正面図である。
【図７５】図７４の線Ａ−Ａにおけるシリンダ錠の断面図である。
【図７６】図７５のスイッチ付近の拡大図である。
【図７７】図７５の線Ｂ−Ｂにおけるシリンダ錠の断面図である。
【図７８】図７５の線Ｘ−Ｘにおけるシリンダ錠の縦断面図である。
【図７９】図７５の線Ｙ−Ｙにおけるシリンダ錠の縦断面図である。
【図８０】リセットの状態におけるシリンダ錠の正面図である。
【図８１】図８０の線Ａ−Ａにおけるシリンダ錠の断面図である。
【図８２】図８１のスイッチ付近の拡大図である。
【図８３】図８１の線Ｂ−Ｂにおけるシリンダ錠の断面図である。
【図８４】図８１の線Ｘ−Ｘにおけるシリンダ錠の縦断面図である。
【図８５】図８１の線Ｙ−Ｙにおけるシリンダ錠の縦断面図である。
【図８６】ラチェットディスクの凸部と、スイッチケースの内側の凸部の位置を説明する図である。
【図８７】ラチェットディスクの凸部と、スイッチケースの内側の凸部の位置を説明する図である。
【図８８】ラチェットディスクの凸部と、スイッチケースの内側の凸部の位置を説明する図である。
【図８９】本発明のシリンダ錠の別の構成例を示す斜視図である。
【図９０】図８９のシリンダ錠を別の角度からみた斜視図である。
【図９１】図８９のシリンダ錠の構成を示す斜視図である。
【図９２】図９１の内周シリンダの構成を示す斜視図である。
【図９３】スイッチＯＦＦの状態、スイッチＯＮの状態、リセットの状態を説明する図である。
【図９４】スイッチＯＦＦの状態におけるシリンダ錠の正面図である。
【図９５】図９４の線Ａ−Ａにおけるシリンダ錠の断面図である。
【図９６】図９５のスイッチ付近の拡大図である。
【図９７】図９５の線Ｂ−Ｂにおけるシリンダ錠の断面図である。
【図９８】図９４の線Ｃ−Ｃにおけるシリンダ錠の断面図である。
【図９９】図９５の線Ｘ−Ｘにおけるシリンダ錠の縦断面図である。
【図１００】図９５の線Ｙ−Ｙにおけるシリンダ錠の縦断面図である。
【図１０１】図９５の線Ｚ−Ｚにおけるシリンダ錠の縦断面図である。
【図１０２】スイッチＯＮの状態におけるシリンダ錠の正面図である。
【図１０３】図１０２の線Ａ−Ａにおけるシリンダ錠の断面図である。
【図１０４】図１０３のスイッチ付近の拡大図である。
【図１０５】図１０３の線Ｂ−Ｂにおけるシリンダ錠の断面図である。
【図１０６】図１０２の線Ｃ−Ｃにおけるシリンダ錠の断面図である。
【図１０７】図１０３の線Ｘ−Ｘにおけるシリンダ錠の縦断面図である。
【図１０８】図１０３の線Ｙ−Ｙにおけるシリンダ錠の縦断面図である。
【図１０９】図１０３の線Ｚ−Ｚにおけるシリンダ錠の縦断面図である。
【図１１０】リセットの状態におけるシリンダ錠の正面図である。
【図１１１】図１１０の線Ａ−Ａにおけるシリンダ錠の断面図である。
【図１１２】図１１１のスイッチ付近の拡大図である。
【図１１３】図１１１の線Ｂ−Ｂにおけるシリンダ錠の断面図である。
【図１１４】図１１０の線Ｃ−Ｃにおけるシリンダ錠の断面図である。
【図１１５】図１１１の線Ｘ−Ｘにおけるシリンダ錠の縦断面図である。
【図１１６】図１１１の線Ｙ−Ｙにおけるシリンダ錠の縦断面図である。
【図１１７】図１１１の線Ｚ−Ｚにおけるシリンダ錠の縦断面図である。
【図１１８】図８９または図９０のシリンダ錠の正面図である。
【図１１９】図１１８の線Ｄ−Ｄにおけるシリンダ錠の断面図である。
【図１２０】図１１９のリセットボタン１２４１付近の拡大図である。
【図１２１】図８９のシリンダ錠に鍵が挿入された状態の例を示す斜視図である。
【図１２２】図１２１のシリンダ錠の正面図である。
【図１２３】図１２２の線Ｄ−Ｄにおけるシリンダ錠の断面図である。
【図１２４】図１２３のリセットボタン付近の拡大図である。
【図１２５】リセットボタン乃至リセット奥ピンバネの動きについて説明する図である。
【図１２６】リセットボタン乃至リセット奥ピンバネの動きについて説明する図である。
【図１２７】リセットボタン乃至リセット奥ピンバネの動きについて説明する図である。
【図１２８】リセットボタン乃至リセット奥ピンバネの動きについて説明する図である。
【図１２９】リセットボタン乃至リセット奥ピンバネの動きについて説明する図である。
【図１３０】リセットボタン乃至リセット奥ピンバネの動きについて説明する図である。
【図１３１】リセットボタン乃至リセット奥ピンバネの動きについて説明する図である。
【図１３２】リセットボタン乃至リセット奥ピンバネの動きについて説明する図である。
【図１３３】リセットボタン乃至リセット奥ピンバネの動きについて説明する図である。
【図１３４】リセットボタン乃至リセット奥ピンバネの動きについて説明する図である。
【図１３５】リセットボタン乃至リセット奥ピンバネの動きについて説明する図である。
【図１３６】リセットボタン乃至リセット奥ピンバネの動きについて説明する図である。
【図１３７】リセットボタン乃至リセット奥ピンバネの動きについて説明する図である。
【符号の説明】
【０３１４】
１９１  シリンダ錠，
１９２  シリンダ錠，
２００  前部外周シリンダ，
２００ａ  前部，
２００ｂ  後部，
２００ｃ  凹部，
２０１  外周シリンダ，
２０１ｄ  凹部，
２０３  内周シリンダ，
２０３ａ  鍵穴，
２０３ｂ  端部，
２０４  後部外周シリンダ，
２０６  中部外周シリンダ，
２０７  連結軸，
２０８  出力軸，
２１１  リセットボタン，
２１２  ジョイントカム，
２３１−１乃至２３１−８  開閉プレート，
２３１−１ａ乃至２３１−８ａ  係合穴，
２３１−１ｂ乃至２３１−８ｂ  係合穴，
２３２−１乃至２３２−８  開閉プレート用バネ，
２３３−１乃至２３３−８  タンブラプレート，
２３３−１a乃至２３３−８ａ  凹部，
２３３−１ｂ乃至２３３−８ｂ  係合ピン，
２５１  サイドバー，
２５１ａ  凸部，
３１１  完全挿入確認バネ，
３１１ａ  尖端部，
３１２  完全挿入確認ボタン，
３１３  完全挿入確認プレート
３１３ａ  端部，
３１３ｂ  端部，
３１４  完全挿入確認プレート用バネ，
６００  スロット遊技台，
６２３  電源ユニット，
６３３  スイッチ，
１１９０  シリンダ錠，
１２０１  外周シリンダ，
１２０１ａ  リセットボタン用穴，
１２０２  スイッチケース
１２０２ｂ  凸部，
１２０２ｄ−１乃至１２０２ｄ−４  制御溝，
１２０３  内周シリンダ，
１２０３ａ  鍵穴，
１２０３ｇ  リセットピン収容溝，
１２０３ｈ  端部，
１２１１  ラチェットディスク，
１２１１ｂ  凸部，
１２１２  スイッチ，
１２１２ａ  先端部，
１２１３  ラチェットバネ，
１２１４−１，１２１４−２  ラチェットボール，
１２４１  リセットボタン，
１２４２  リセットピン，
１２４３  リセット奥ピン，
１２４４  リセット奥ピンバネ
Ｋ3  鍵，
Ｋ4  鍵，
Ｋ5  鍵，
Ｋ６  鍵
【図１】
0004604929.tif 000002
【図２】
0004604929.tif 000003
【図３】
0004604929.tif 000004
【図４】
0004604929.tif 000005
【図５】
0004604929.tif 000006
【図６】
0004604929.tif 000007
【図７】
0004604929.tif 000008
【図８】
0004604929.tif 000009
【図９】
0004604929.tif 000010
【図１０】
0004604929.tif 000011
【図１１】
0004604929.tif 000012
【図１２】
0004604929.tif 000013
【図１３】
0004604929.tif 000014
【図１４】
0004604929.tif 000015
【図１５】
0004604929.tif 000016
【図１６】
0004604929.tif 000017
【図１７】
0004604929.tif 000018
【図１８】
0004604929.tif 000019
【図１９】
0004604929.tif 000020
【図２０】
0004604929.tif 000021
【図２１】
0004604929.tif 000022
【図２２】
0004604929.tif 000023
【図２３】
0004604929.tif 000024
【図２４】
0004604929.tif 000025
【図２５】
0004604929.tif 000026
【図２６】
0004604929.tif 000027
【図２７】
0004604929.tif 000028
【図２８】
0004604929.tif 000029
【図２９】
0004604929.tif 000030
【図３０】
0004604929.tif 000031
【図３１】
0004604929.tif 000032
【図３２】
0004604929.tif 000033
【図３３】
0004604929.tif 000034
【図３４】
0004604929.tif 000035
【図３５】
0004604929.tif 000036
【図３６】
0004604929.tif 000037
【図３７】
0004604929.tif 000038
【図３８】
0004604929.tif 000039
【図３９】
0004604929.tif 000040
【図４０】
0004604929.tif 000041
【図４１】
0004604929.tif 000042
【図４２】
0004604929.tif 000043
【図４３】
0004604929.tif 000044
【図４４】
0004604929.tif 000045
【図４５】
0004604929.tif 000046
【図４６】
0004604929.tif 000047
【図４７】
0004604929.tif 000048
【図４８】
0004604929.tif 000049
【図４９】
0004604929.tif 000050
【図５０】
0004604929.tif 000051
【図５１】
0004604929.tif 000052
【図５２】
0004604929.tif 000053
【図５３】
0004604929.tif 000054
【図５４】
0004604929.tif 000055
【図５５】
0004604929.tif 000056
【図５６】
0004604929.tif 000057
【図５７】
0004604929.tif 000058
【図５８】
0004604929.tif 000059
【図５９】
0004604929.tif 000060
【図６０】
0004604929.tif 000061
【図６１】
0004604929.tif 000062
【図６２】
0004604929.tif 000063
【図６３】
0004604929.tif 000064
【図６４】
0004604929.tif 000065
【図６５】
0004604929.tif 000066
【図６６】
0004604929.tif 000067
【図６７】
0004604929.tif 000068
【図６８】
0004604929.tif 000069
【図６９】
0004604929.tif 000070
【図７０】
0004604929.tif 000071
【図７１】
0004604929.tif 000072
【図７２】
0004604929.tif 000073
【図７３】
0004604929.tif 000074
【図７４】
0004604929.tif 000075
【図７５】
0004604929.tif 000076
【図７６】
0004604929.tif 000077
【図７７】
0004604929.tif 000078
【図７８】
0004604929.tif 000079
【図７９】
0004604929.tif 000080
【図８０】
0004604929.tif 000081
【図８１】
0004604929.tif 000082
【図８２】
0004604929.tif 000083
【図８３】
0004604929.tif 000084
【図８４】
0004604929.tif 000085
【図８５】
0004604929.tif 000086
【図８６】
0004604929.tif 000087
【図８７】
0004604929.tif 000088
【図８８】
0004604929.tif 000089
【図８９】
0004604929.tif 000090
【図９０】
0004604929.tif 000091
【図９１】
0004604929.tif 000092
【図９２】
0004604929.tif 000093
【図９３】
0004604929.tif 000094
【図９４】
0004604929.tif 000095
【図９５】
0004604929.tif 000096
【図９６】
0004604929.tif 000097
【図９７】
0004604929.tif 000098
【図９８】
0004604929.tif 000099
【図９９】
0004604929.tif 000100
【図１００】
0004604929.tif 000101
【図１０１】
0004604929.tif 000102
【図１０２】
0004604929.tif 000103
【図１０３】
0004604929.tif 000104
【図１０４】
0004604929.tif 000105
【図１０５】
0004604929.tif 000106
【図１０６】
0004604929.tif 000107
【図１０７】
0004604929.tif 000108
【図１０８】
0004604929.tif 000109
【図１０９】
0004604929.tif 000110
【図１１０】
0004604929.tif 000111
【図１１１】
0004604929.tif 000112
【図１１２】
0004604929.tif 000113
【図１１３】
0004604929.tif 000114
【図１１４】
0004604929.tif 000115
【図１１５】
0004604929.tif 000116
【図１１６】
0004604929.tif 000117
【図１１７】
0004604929.tif 000118
【図１１８】
0004604929.tif 000119
【図１１９】
0004604929.tif 000120
【図１２０】
0004604929.tif 000121
【図１２１】
0004604929.tif 000122
【図１２２】
0004604929.tif 000123
【図１２３】
0004604929.tif 000124
【図１２４】
0004604929.tif 000125
【図１２５】
0004604929.tif 000126
【図１２６】
0004604929.tif 000127
【図１２７】
0004604929.tif 000128
【図１２８】
0004604929.tif 000129
【図１２９】
0004604929.tif 000130
【図１３０】
0004604929.tif 000131
【図１３１】
0004604929.tif 000132
【図１３２】
0004604929.tif 000133
【図１３３】
0004604929.tif 000134
【図１３４】
0004604929.tif 000135
【図１３５】
0004604929.tif 000136
【図１３６】
0004604929.tif 000137
【図１３７】
0004604929.tif 000138